(57)【特許請求の範囲】
【請求項１】
開放ボアを有する磁気共鳴イメージング（ＭＲＩ）機器に適した患者搬送インキュベータ（ＰＴＩ）であって、前記ＰＴＩは、
患者を収容するための形状及びサイズによって適応された第１のセットの寸法を有する内部体積であって、前記内部体積は、前記開放ボアの中に一時的に導入される形状及びサイズによって適応された第２のセットの寸法を有する外囲容器によってさらに覆われ、前記外囲容器の少なくとも一部分がＭＲＩ安全熱分離防音発泡体を備える、内部体積、および、
第１の端部が前記ＰＴＩに取外し可能に接続されたインタフェースモジュールを備える第１の端部および第２の端部であって、
ｉ）前記ＰＴＩが前記ＭＲＩ機器に挿入されるときに、前記ＭＲＩ機器に対する外部環境と前記内部体積との間を通過する要素のための複数の開口部、
ｉｉ）前記ＰＴＩが前記ＭＲＩ機器に挿入されるときに、前記ＭＲＩ機器に対する外部環境に面する少なくとも１つのインジケータ、および、
ｉｉｉ）医療及び／又は検知装置から受信するデータを前記少なくとも１つのインジケータに送信するように構成された少なくとも１つの中央演算処理装置（ＣＰＵ）、
を備える、第１の端部および第２の端部、
を備える、患者搬送インキュベータ（ＰＴＩ）。
【請求項２】
前記外囲容器の少なくとも一部分が難燃性材料を含む、請求項１に記載のＰＴＩ。
【請求項３】
前記外囲容器が少なくとも１つの開口部を備える、請求項１に記載のＰＴＩ。
【請求項４】
以下、つまり
ａ．前記開口部が、前記開口部を通過する音を弱めるように構成された少なくとも１つの音響減衰手段をさらに備える、
ｂ．前記開口部が、管、生命維持装置、監視装置、検知装置、温度維持装置、及び換気装置、のうちの１つ以上の装置の通過のためのサイズ及び形状によって適応される、並びに
ｃ．前記開口部が、取扱者の手の通過を可能にするためのサイズ及び形状によって適応される
のうちの少なくとも１つが当てはまる、請求項３に記載のＰＴＩ。
【請求項５】
前記外囲容器が前記患者を収容するための少なくとも１つの開放位置、及び前記内部体積の中に前記患者を少なくとも部分的に制限するように構成された少なくとも１つの閉鎖位置のために構成される、請求項１に記載のＰＴＩ。
【請求項６】
前記内部体積の中の患者への迅速な接近を可能にする簡易脱着機構を備える、請求項１に記載のＰＴＩ。
【請求項７】
前記外囲容器の少なくとも一部分は透明な材料を含み、前記透明な材料が前記患者の少なくとも一部を視覚的に観察できるようにする、請求項１に記載のＰＴＩ。
【請求項８】
ａ．前記外囲容器が、前記ＭＲＩボアとの接触から前記患者の組織を分離するように構成される、
ｂ．前記外囲容器が、患者の人間工学的形状、非人間工学的形状、及び患者移動制限形状、のうちの１つ以上の形状を有する、並びに
ｃ．前記外囲容器の形状及び前記外囲容器のサイズは、身体が導電ループを形成しないように前記患者の身体の配置を可能にする、
のうちの少なくとも１つが当てはまる、請求項１に記載のＰＴＩ。
【請求項９】
温度、湿度、Ｏ２濃度、ＣＯ２濃度、音響レベル、可聴周波数、音方向、音響振幅、音調、音速、振動、移動、ドリフト、光、ＰＴＩ構成、ＰＴＩ構造的完全性、及びＰＴＩロック構成、のうちの１つ以上を検知するように構成された少なくとも１つのセンサをさらに備える、請求項１に記載のＰＴＩ。
【請求項１０】
前記外囲容器が、温度調節ベントモジュール、通気モジュール、制御ユニットモジュール、少なくとも１つの生命維持システムモジュール、監視モジュール、及びセンサモジュール、のうちの１つ以上である少なくとも１つの可逆的に接続可能なモジュールを収容するように構成される、請求項１に記載のＰＴＩ。
【請求項１１】
前記少なくとも１つの可逆的に接続可能なモジュールが、前記外囲容器の上部、底部、側部、後部、及び前部、のうちの１つ以上で接続可能である、請求項１０に記載のＰＴＩ。
【請求項１２】
前記ＰＴＩが、音響レベル、トーン、倍音構成、残響、可聴周波数、音波波長、音波振幅、音波速度、音波方向、音波エネルギー、音波位相、音波形状、音波エンベロープ、及び音の音質、のうちの１つ以上の所定の音響特性で、前記内部体積の中で騒音を低減するように構成される、請求項１に記載のＰＴＩ。
【請求項１３】
前記ＰＴＩが、音響レベル低減、音響反射低減、音響残響低減、音波拡散、及びサウンドシグネチャ変更、のうちの１つ以上である少なくとも１つによって騒音を低減するように構成される、請求項１に記載のＰＴＩ。
【請求項１４】
前記ＰＴＩが、音響レベル、トーン、倍音構成、残響、可聴周波数、音波波長、音波振幅、音波速度、音波方向、音波エネルギー、音波位相、音波形状、音波エンベロープ、及び音の音質、のうちの１つ以上である、環境から前記内部体積に到達する少なくとも１つの音響特性を変更し、それによって少なくとも１つのサウンドシグネチャを生成するように構成される、請求項１に記載のＰＴＩ。
【請求項１５】
前記サウンドシグネチャが、ユーザによって設定可能、所定、及び前記患者の寿命パラメータに関して自動的に調整可能、のうちの１つ以上である、請求項１４に記載のＰＴＩ。
【請求項１６】
前記外囲容器が、前記患者に届く前記サウンドシグネチャを変更するように構成された、吸音材料、共鳴器、音響シールド、低音トラップ、音響バッフル、ディフューザ、遮音パッド、音響反射板、及び音響弱音器、のうちの少なくとも１つをさらに備える、請求項１４に記載のＰＴＩ。
【請求項１７】
前記外囲容器が、少なくとも１つの密封材料、少なくとも１つの吸音材料、及び少なくとも１つの吸振材料、のうちの１つ以上を備える、請求項１に記載のＰＴＩ。
【請求項１８】
前記外囲容器の少なくとも一部分がｎ個の層を備え、さらに前記ｎ個の層のそれぞれが前記内部体積に向く内側、及び前記環境に向く反対の外側を備える、請求項１に記載のＰＴＩ。
【請求項１９】
前記ｎ個の層のそれぞれが、所定の騒音減少率（ＮＲＣ）値、音響伝送クラス（ＳＴＣ）値、又は両方を備え、さらに前記ＮＲＣ値、前記ＳＴＣ値、又は両方が前記ｎ個の層のそれぞれに対して等しい又は異なることがある、請求項１８に記載のＰＴＩ。
【請求項２０】
前記層のそれぞれが前記層外側で測定された少なくとも１つの音響レベルＳ１［ｄＢ］、及び前記層内側で測定された少なくとも１つの第１の音響レベルＳｎ［ｄＢ］を備え、ｄＳ１−．．．ｄＳｎを有し、前記ＰＴＩのｄＳがＳ１−Ｓｎに等しく、Ｓ１−Ｓｎ＜Ｓ１である、請求項１８に記載のＰＴＩ。
【請求項２１】
前記ＰＴＩが、
ａ．前記ｎ個の層のうちの少なくとも２つの間の空間Ｓ１．．．ｎ（ｍｍ）と、
ｂ．前記層１．．．ｎについて測定されたＳＴＣ１（音響伝送クラス）値と、
ｃ．前記ｎ個の層のうちの少なくとも１つに接続され、前記ｎ個の層のうちの少なくとも１つを起動させるように構成され、空間Ｓ１．．．ｎ，ａが提供され、前記層１．．．ｎについて測定されたＳＴＣ２値が提供されるようにｎ個の層のうちの少なくとも２つの間に空間Ｓ１．．．ｎを有する、可逆可動化手段と
をさらに備え、
上式ではＳ１．．．ｎ＜Ｓ１ｎ，ａであり、ＳＴＣ１＜ＳＴＣ２である、
請求項１９に記載のＰＴＩ。
【請求項２２】
前記外囲容器が、吸音材料、音響バッフル、音響ディフューザ、音響共鳴器、及び音響シールド、のうちの１つ以上を用いて、前記内部体積の中で音の残響、音の反射、又は両方を低減するように構成される、請求項１に記載のＰＴＩ。
【請求項２３】
前記ＰＴＩは近位端及び反対の遠位端を備える主要な長手方向軸を有する細長い形状によって特徴付けられ、前記ＰＴＩが前記端部のうちの少なくとも１つに温度調節ベント（ＴＲＶ）をさらに備え、前記ＴＲＶが実質的に前記軸に沿って前記端部から前記反対の端部に向かって空気を流すように適応され、前記軸に平行に前記患者を収容するためのサイズ及び形状によって構成され、さらに前記ＴＲＶは少なくとも１つの第１の通気モジュール、少なくとも１つの第１の加熱／冷却モジュール、前記第１の通気モジュール又は前記第１の加熱／冷却モジュールのどちらかに隣接して位置する少なくとも１つのフィルタ、及び少なくとも１つの加湿モジュール、のうちの１つ以上である、請求項１に記載のＰＴＩ。
【請求項２４】
患者の磁気共鳴イメージングの方法であって、
ａ．開放ボアを有する磁気共鳴イメージング（ＭＲＩ）機器に適した患者搬送インキュベータ（ＰＴＩ）を得るステップであって、前記ＰＴＩは、
患者を収容するための形状及びサイズによって適応された第１のセットの寸法を有する内部体積であって、前記内部体積は、前記開放ボアの中に一時的に導入される形状及びサイズによって適応された第２のセットの寸法を有する外囲容器によってさらに覆われ、前記外囲容器の少なくとも一部分がＭＲＩ安全熱分離防音発泡体を備える、内部体積、および、
第１の端部が前記ＰＴＩに取外し可能に接続されたインタフェースモジュールを備える第１の端部および第２の端部であって、
ｉ）前記ＰＴＩが前記ＭＲＩ機器に挿入されるときに、前記ＭＲＩ機器に対する外部環境と前記内部体積との間を通過する要素のための複数の開口部、
ｉｉ）前記ＰＴＩが前記ＭＲＩ機器に挿入されるときに、前記ＭＲＩ機器に対する外部環境に面する少なくとも１つのインジケータ、および、
ｉｉｉ）医療及び／又は検知装置から受信するデータを前記少なくとも１つのインジケータに送信するように構成された少なくとも１つの中央演算処理装置（ＣＰＵ）、
を備える、第１の端部および第２の端部、
を備える、ステップと、
ｂ．包囲された前記内部体積の中に患者を配置するステップと、
ｃ．前記ＭＲＩ開放ボアの中に前記ＰＴＩを導入し、前記ＭＲＩ機器を用いて前記患者を画像化するステップと、
を含む、方法。
【請求項２５】
開放ボアを有するＭＲＩ機器に適した患者搬送インキュベータ（ＰＴＩ）であって、前記ＰＴＩは、
ＭＲＩと互換性のある新生児の寝台の少なくとも一部分を収容するための形状及びサイズによって適応された第１のセットの寸法を有する内部体積であって、前記内部体積は、前記開放ボアの中に一時的に導入される形状及びサイズによって適応された第２のセットの寸法を有する外囲容器によってさらに覆われ、前記外囲容器の少なくとも一部分がＭＲＩ安全熱分離防音発泡体を備える、内部体積、および、
第１の端部が前記ＰＴＩに取外し可能に接続されたインタフェースモジュールを備える第１の端部および第２の端部であって、
ｉ）前記ＰＴＩが前記ＭＲＩ機器に挿入されるときに、前記ＭＲＩ機器に対する外部環境と前記内部体積との間を通過する要素のための複数の開口部、
ｉｉ）前記ＰＴＩが前記ＭＲＩ機器に挿入されるときに、前記ＭＲＩ機器に対する外部環境に面する少なくとも１つのインジケータ、および、
ｉｉｉ）医療及び／又は検知装置から受信するデータを前記少なくとも１つのインジケータに送信するように構成された少なくとも１つの中央演算処理装置（ＣＰＵ）、
を備える、第１の端部および第２の端部、
を備える、患者搬送インキュベータ（ＰＴＩ）。
【請求項２６】
前記外囲容器の少なくとも一部分が難燃性材料を含む、請求項２５に記載のＰＴＩ。
【請求項２７】
前記外囲容器が少なくとも１つの開口部を備える、請求項２５に記載のＰＴＩ。
【請求項２８】
以下、つまり
ａ．前記開口部が、前記開口部を通過する音を弱めるように構成された少なくとも１つの音響減衰手段をさらに備える、
ｂ．前記開口部が、管、生命維持装置、監視装置、検知装置、温度維持装置、及び換気装置、のうちの１つ以上の装置の通過のためのサイズ及び形状によって適応される、並びに
ｃ．前記開口部が、取扱者の手の通過を可能にするためのサイズ及び形状によって適応される
のうちの少なくとも１つが当てはまる、請求項２７に記載のＰＴＩ。
【請求項２９】
前記外囲容器が、前記ＭＲＩと互換性のある新生児の寝台を収容するための少なくとも１つの開放位置、及び前記内部体積の中に前記ＭＲＩと互換性のある新生児の寝台を少なくとも部分的に制限するように構成された少なくとも１つの閉鎖位置のために構成される、請求項２５に記載のＰＴＩ。
【請求項３０】
前記外囲容器が、前記内部体積の中の患者への迅速な接近を可能にする簡易脱着機構を備える、請求項２５に記載のＰＴＩ。
【請求項３１】
前記外囲容器の少なくとも一部分は透明な材料を含み、前記透明な材料が前記患者の少なくとも一部を視覚的に観察することを可能にする、請求項２５に記載のＰＴＩ。
【請求項３２】
ａ．前記外囲容器が前記ＭＲＩボアとの接触から患者の組織を分離するように構成される、
ｂ．前記外囲容器が、患者の人間工学的形状、非人間工学的形状、及び患者移動制限形状、のうちの１つ以上の形状を有する、並びに
ｃ．前記外囲容器の形状及び前記外囲容器のサイズは、身体が導電ループを形成しないように前記患者の身体の配置を可能にする、
のうちの少なくとも１つが当てはまる、請求項２５に記載のＰＴＩ。
【請求項３３】
温度、湿度、Ｏ２濃度、ＣＯ２濃度、音響レベル、可聴周波数、音方向、音響振幅、音調、音速、振動、移動、ドリフト、光、ＰＴＩ構成、ＰＴＩ構造的完全性、及びＰＴＩロック構成、のうちの１つ以上を検知するように構成された少なくとも１つのセンサをさらに備える、請求項２５に記載のＰＴＩ。
【請求項３４】
前記外囲容器が、温度調節ベントモジュール、通気モジュール、制御ユニットモジュール、少なくとも１つの生命維持システムモジュール、監視モジュール、及びセンサモジュール、のうちの１つ以上である少なくとも１つの可逆的に接続可能なモジュールを収容するように構成される、請求項２５に記載のＰＴＩ。
【請求項３５】
前記少なくとも１つの可逆的に接続可能なモジュールが、前記外囲容器の上部、底部、側部、後部、及び前部、のうちの１つ以上で接続可能である、請求項３４に記載のＰＴＩ。
【請求項３６】
前記ＰＴＩが、音響レベル、トーン、倍音構成、残響、可聴周波数、音波波長、音波振幅、音波速度、音波方向、音波エネルギー、音波位相、音波形状、音波エンベロープ、及び音の音質、のうちの１つ以上の所定の音響特性で、前記内部体積の中で騒音を低減するように構成される、請求項２５に記載のＰＴＩ。
【請求項３７】
前記ＰＴＩは、音響レベル低減、音響反射低減、音響残響低減、音波拡散、及びサウンドシグネチャ変更、のうちの１つ以上である少なくとも１つによって騒音を低減するように構成される、請求項２５に記載のＰＴＩ。
【請求項３８】
前記ＰＴＩが、音響レベル、トーン、倍音構成、残響、可聴周波数、音波波長、音波振幅、音波速度、音波方向、音波エネルギー、音波位相、音波形状、音波エンベロープ、及び音の音質、のうちの１つ以上である、環境から前記内部体積に到達する少なくとも１つの音響特性を変更し、それによって少なくとも１つのサウンドシグネチャを生成するように構成される、請求項２５に記載のＰＴＩ。
【請求項３９】
前記サウンドシグネチャは、ユーザによって設定可能、所定、及び前記新生児の寿命パラメータに関して自動的に調整可能、のうちの１つ以上である、請求項３８に記載のＰＴＩ。
【請求項４０】
前記外囲容器が、前記患者に届く前記サウンドシグネチャを変更するように構成された、吸音材料、共鳴器、音響シールド、低音トラップ、音響バッフル、ディフューザ、遮音パッド、音響反射板、及び音響弱音器、のうちの少なくとも１つをさらに備える、請求項２５に記載のＰＴＩ。
【請求項４１】
前記外囲容器が、少なくとも１つの密封材料、少なくとも１つの吸音材料、及び少なくとも１つの吸振材料、のうちの１つ以上の材料の少なくとも一部分を備える、請求項２５に記載のＰＴＩ。
【請求項４２】
前記外囲容器の少なくとも一部分がｎ個の層を備え、さらに前記ｎ個の層のそれぞれが前記内部体積に向かう内側、及び前記環境に向く反対の外側を備える、請求項２５に記載のＰＴＩ。
【請求項４３】
前記ｎ個の層のそれぞれが、所定の騒音減少率（ＮＲＣ）値、音響伝送クラス（ＳＴＣ）値、又は両方を備え、さらに前記ＮＲＣ値、前記ＳＴＣ値、又は両方が前記ｎ個の層のそれぞれに対して等しい又は異なることがある、請求項４２に記載のＰＴＩ。
【請求項４４】
前記層のそれぞれが前記層外側で測定された少なくとも１つの音響レベルＳ１［ｄＢ］、及び前記層内側で測定された少なくとも１つの第１の音響レベルＳｎ［ｄＢ］を備え、ｄＳ１−．．．ｄＳｎを有し、前記ＰＴＩのｄＳがＳ１−Ｓｎに等しく、Ｓ１−Ｓｎ＜Ｓ１である、請求項４３に記載のＰＴＩ。
【請求項４５】
前記ＰＴＩが、
ａ．前記ｎ個の層のうちの少なくとも２つの間の空間Ｓ１．．．ｎ（ｍｍ）と、
ｂ．前記層１．．．ｎについて測定されたＳＴＣ１（音響伝送クラス）値と、
ｃ．前記ｎ個の層のうちの少なくとも１つに接続され、前記ｎ個の層のうちの少なくとも１つを起動させるように構成され、空間Ｓ１．．．ｎ，ａが提供され、前記層１．．．ｎについて測定されたＳＴＣ２値が提供されるようにｎ個の層のうちの少なくとも２つの間に空間Ｓ１．．．ｎを有する可逆可動化手段と
をさらに備え、
上式ではＳ１．．．ｎ＜Ｓ１ｎ，ａであり、ＳＴＣ１＜ＳＴＣ２である、
請求項４３に記載のＰＴＩ。
【請求項４６】
前記外囲容器が、吸音材料、音響バッフル、音響ディフューザ、音響共鳴器、及び音響シールド、のうちの１つ以上を用いて、前記内部体積の中で音の残響、音の反射、又は両方を低減するように構成される、請求項２５に記載のＰＴＩ。
【請求項４７】
前記ＰＴＩは近位端及び反対の遠位端を備える主要な長手方向軸を有する細長い形状によって特徴付けられ、前記ＰＴＩが前記端部のうちの少なくとも１つに温度調節ベント（ＴＲＶ）をさらに備え、前記ＴＲＶが実質的に前記軸に沿って前記端部から前記反対の端部に向かって空気を流すように適応され、前記軸に平行に前記患者を収容するためのサイズ及び形状によって構成され、さらに前記ＴＲＶが少なくとも１つの第１の通気モジュール、少なくとも１つの第１の加熱／冷却モジュール、前記第１の通気モジュール又は前記第１の加熱／冷却モジュールのどちらかに隣接して位置する少なくとも１つのフィルタ、及び少なくとも１つの加湿モジュール、のうちの１つ以上である、請求項２５に記載のＰＴＩ。
【請求項４８】
患者の磁気共鳴イメージングの方法であって、
ａ．開放ボアを有する磁気共鳴イメージング（ＭＲＩ）機器に適した患者搬送インキュベータ（ＰＴＩ）を得るステップであって、前記ＰＴＩは、
ＭＲＩと互換性のある新生児の寝台の少なくとも一部分を収容するための形状及びサイズによって適応された第１のセットの寸法を有する内部体積であって、前記内部体積は、前記開放ボアの中に一時的に導入される形状及びサイズによって適応された第２のセットの寸法を有する外囲容器によってさらに覆われ、前記外囲容器の少なくとも一部分がＭＲＩ安全熱分離防音発泡体を備える、内部体積、および、
第１の端部が前記ＰＴＩに取外し可能に接続されたインタフェースモジュールを備える第１の端部および第２の端部であって、
ｉ）前記ＰＴＩが前記ＭＲＩ機器に挿入されるときに、前記ＭＲＩ機器に対する外部環境と前記内部体積との間を通過する要素のための複数の開口部、
ｉｉ）前記ＰＴＩが前記ＭＲＩ機器に挿入されるときに、前記ＭＲＩ機器に対する外部環境に面する少なくとも１つのインジケータ、および、
ｉｉｉ）医療及び／又は検知装置から受信するデータを前記少なくとも１つのインジケータに送信するように構成された少なくとも１つの中央演算処理装置（ＣＰＵ）、
を備える、第１の端部および第２の端部、
を備える、ステップと、
ｂ．新生児を前記新生児の寝台の中に入れるステップと、
ｃ．包囲された前記内部体積の中に前記新生児の寝台を配置するステップと、
ｄ．前記ＭＲＩ開放ボアの中に前記インキュベータを導入し、前記ＭＲＩ機器を用いて前記新生児を画像化するステップと、
を含む、方法。
【発明の詳細な説明】
【技術分野】
【０００１】
本発明は、患者のＭＲＩイメージング用の装置に関する。特に、本発明は、ＭＲＩの間の熱分離、防音、及び患者の福祉を維持するための技術的な手段を有するＭＲＩ安全患者輸送インキュベータ、並びに患者の体温調節を維持するための介護プロトコルの基準を提供することに関する。
【背景技術】
【０００２】
ＭＲＩ技術は、患者の健康の診断のため、及び研究目的に頻繁に使用される。ＭＲＩの間、患者は体温の変化、並びに（ウィキペディア「ＭＲＩ」に説明されるように）最高で１２０ｄＢまでの高レベルの騒音及びストレスへの曝露を経験する。
【発明の概要】
【発明が解決しようとする課題】
【０００３】
これらの苦境は、新生児をＭＲＩに委ねるときに特に問題がある。新生児、及び特に早産で生まれた新生児は細心のケアを必要とする。新生児は、何回も生命維持装置に接続されながら、温度、湿度、及びガスのレベルが絶えず監視される安定した環境に保たれる。新生児は特に感染を起こしやすいため、新生児を扱うときには通常は無菌及び／又は使い捨ての道具が使用される。
【０００４】
患者のＭＲＩの間、患者の健康の監視を可能にしつつ、環境状態を維持し、ストレスを最小限に抑える必要性がある。多くの要因が、ＭＲＩが無事に且つ迅速に完了することの一因となる。これらの要因の中で、ＭＲＩの間に患者の移動を最小限に抑えることは、より良い品質の画像化につながり、結果的に画像化プロセスの繰り返しを少なくする。体温が低下している患者は保温しようとして動こうとする。乳児は特に低体温症等の合併症につながり、乳児の心臓系及び呼吸器系に影響を及ぼすこともある体温の低下に敏感である。
【０００５】
国際公開第ＷＯ２００８／１３７００３号は、ＭＲＩスキャン用の音響ノイズ減衰システムを説明している。このシステムは、２つの端部を有し、内側ボアを有するＭＲＩスキャナでスキャン処置を受ける被験者の身体全体を包み込むとともに、スキャナボアの中に収まるように構成されたカプセルを含む。エンクロージャの少なくとも一方の端部は被験者を監視する又は被験者と連絡を取るための音響的に密閉された通路又はコネクタを取り付けられる。説明されているカプセルは、複数の空隙によって分けられた個々の層及び吸音材料から構成される。ただし、音響ノイズ減衰システムは、特に多目的機装置で騒音及び振動を隔離するために設計された手段の中に構築される。さらにシステムの好ましい実施形態の設計は、少なくとも接近される患者のための２つの開口部を含み、この構成が差し迫った要求のある場合にどのように機能するのかは知られていない。
【０００６】
患者を環境から分離する外囲容器が専用の体温調節防音エンクロージャであり、したがってＭＲＩ安全熱分離防音発泡体から作られる肥厚外囲容器を含む患者搬送インキュベータの必要性がある。さらに、無菌患者環境を維持するために単回使用の使い捨て外囲容器の必要性がある。本発明の患者搬送インキュベータは、中の患者にただ１つのステップで接近できるようにする。さらに、ＭＲＩ安全発泡体を含む外囲容器は、患者の移動を制限し、より良い品質の画像化及び反復プロセスの必要性を少なくする。
【課題を解決するための手段】
【０００７】
本発明は、開放ボアを有するＭＲＩ機器に適した患者搬送インキュベータ（ＰＴＩ）を提供し、ＰＴＩは、患者を収容するための形状及びサイズによって適応された第１のセットの寸法を有する内部体積を含み、内部体積は、開放ボアの中に一時的に導入される形状及びサイズによって適応された第２のセットの寸法を有する外囲容器によってさらに覆われ、外囲容器の少なくとも一部分はＭＲＩ安全熱分離防音発泡体を含む。
【０００８】
包囲された内部体積を含み、外囲容器の少なくとも一部分が難燃性材料と一体化される、上述されたＰＴＩを開示することが本発明の別の目的である。
【０００９】
外囲容器が少なくとも１つの開口部を含む、上述されたＰＴＩを開示することが本発明の別の目的である。
【００１０】
以下、つまり（ａ）開口部が、開口部を通過する音を弱めるように構成された少なくとも１つの音響減衰手段をさらに含む、（ｂ）開口部が、管、生命維持、監視、検知、温度維持、換気、及びその任意の組合せから成るグループから選択された装置の通過のためのサイズ及び形状によって適応される、並びに（ｃ）開口部が、取扱者の手の通過を可能にするためのサイズ及び形状によって適応される、の内の少なくとも１つが当てはまる、上述のＰＴＩを開示することが本発明の別の目的である。
【００１１】
外囲む容器を含み、外囲む容器が患者を収容するための少なくとも１つの開放位置、及び内部体積の中に患者を少なくとも部分的に制限するように構成された少なくとも１つの閉鎖位置のために構成される、上述のＰＴＩを開示することが本発明の別の目的である。
【００１２】
外囲容器が、内部体積の中の患者への迅速な接近を可能にする簡易脱着機構を含む、上述されたＰＴＩを開示することが本発明の別の目的である。
【００１３】
少なくとも部分的に透明な材料の少なくとも一部分を含み、透明な材料が患者の少なくとも一部を視覚的に観察できるようにする、上述されたＰＴＩを開示することが本発明の別の目的である。
【００１４】
以下、つまり（ａ）外囲容器が、ＭＲＩボアとの接触から患者の組織を分離するように構成される、（ｂ）外囲容器形状が、患者の人間工学的形状、非人間工学的形状、患者移動制限形状、及びその任意の組合せから成るグループから選択される、並びに（ｃ）外囲容器が、身体が導電ループを形成しないように患者の身体の配置を可能にするためのサイズ及び形状によって定められる、の内の少なくとも１つが当てはまる、上述されたＰＴＩを開示することが本発明の別の目的である。
【００１５】
温度、湿度、Ｏ２濃度、ＣＯ２濃度、Ｏ２濃度、音響レベル、可聴周波数、音方向、音響振幅、音調、音速、振動、移動、ドリフト、光、ＰＴＩ構成、ＰＴＩ構造的完全性、ＰＴＩロック構成、及びその任意の組合せから成るグループから選択された少なくとも１つのパラメータを検知するように構成された少なくとも１つのセンサを含む、上述されたＰＴＩを開示することが本発明の別の目的である。
【００１６】
外囲容器を含み、外囲容器が、温度調節ベントモジュール、通気モジュール、ユーザインタフェースモジュール、制御ユニットモジュール、少なくとも１つの生命維持システムモジュール、監視モジュール、センサモジュール、及びその任意の組合せから成るグループから選択された少なくとも１つの可逆的に接続可能なモジュールを収容するように構成される、上述されたＰＴＩを開示することが本発明の別の目的である。
【００１７】
少なくとも１つの可逆的に接続可能なモジュールが、上部、底部、側部、後部、前部、及びその任意の組合せから成るグループから選択された、外囲容器に対する場所で接続可能である、上述されたＰＴＩを開示することが本発明の別の目的である。
【００１８】
ＰＴＩが、音響レベル、トーン、倍音構成、残響、可聴周波数、音波波長、音波振幅、音波速度、音波方向、音波エネルギー、音波位相、音波形状、音波エンベロープ、音の音質、及びその任意の組合せから成るグループから選択された所定の音響特性で、内部体積の中で騒音を低減するように構成される、上述されたＰＴＩを開示することが本発明の別の目的である。
【００１９】
ＰＴＩは、音響レベル低減、音響反射低減、音残響低減、音波拡散、改変されたサウンドシグネチャ、及びその任意の組合せから成るグループから選択された少なくとも１つによって騒音を低減するように構成される、上述されたＰＴＩを開示することが本発明の別の目的である。
【００２０】
ＰＴＩが、音響レベル、トーン、倍音構成、残響、可聴周波数、音波波長、音波振幅、音波速度、音波方向、音波エネルギー、音波位相、音波形状、音波エンベロープ、音の音質、及びその任意の組合せから成るグループから選択された、環境から内部体積に到達する少なくとも１つの音響特性を変更し、それによって少なくとも１つのサウンドシグネチャを生成するように構成される、上述されたＰＴＩを開示することが本発明の別の目的である。
【００２１】
サウンドシグネチャは、ユーザによって設定可能、所定、新生児の寿命パラメータに関して自動的に調整可能、及びその任意の組合せから成るグループから選択される、上述されたＰＴＩを開示することが本発明の別の目的である。
【００２２】
外囲容器が、患者に届くサウンドシグネチャを変更するように構成された、吸音材料、共鳴器、音響シールド、低音トラップ、音響バッフル、ディフューザ、遮音パッド、音響反射板、音響弱音器、及びその任意の組合せから成るグループから選択された少なくとも１つをさらに含む、上述されたＰＴＩを開示することが本発明の別の目的である。
【００２３】
外囲容器が、少なくとも１つの密封材料、少なくとも１つの吸音材料、少なくとも１つの吸振材料、及びその任意の組合せから成るグループから選択された材料の少なくとも一部分を含む、上述されたＰＴＩを開示することが本発明の別の目的である。
【００２４】
外囲容器の少なくとも一部分がｎ個の層を含み、さらにｎ個の層のそれぞれが内部体積に向かう内側、及び環境に向く反対の外側を含む、上述されたＰＴＩを開示することが本発明の別の目的である。
【００２５】
ｎ個の層のそれぞれが、所定の騒音減少率（ＮＲＣ）値、音響伝送クラス（ＳＴＣ）値、又は両方を含み、さらにＮＲＣ値、ＳＴＣ値、又は両方がｎ個の層の内の１つのそれぞれに対して等しい又は異なることがある、上述されたＰＴＩを開示することが本発明の別の目的である。
【００２６】
層のそれぞれが層外側で測定された少なくとも１つの音響レベルＳ１［ｄＢ］、及び層内側で測定された少なくとも１つの第１の音響レベルＳｎ［ｄＢ］を含み、ｄＳ１−．．．ｄＳｎを有し、ＰＴＩのｄＳがＳ１−Ｓｎに等しく、Ｓ１−Ｓｎ＜Ｓ１である、上述されたＰＴＩを開示することが本発明の別の目的である。
【００２７】
ＰＴＩが、（ａ）ｎ個の層の内の少なくとも２つの間の空間Ｓ１．．．ｎ（ｍｍ）、（ｂ）層１．．．ｎについて測定されたＳＴＣ１（音響伝送クラス）値、及び（ｃ）ｎ個の層の内の少なくとも１つに接続され、ｎ個の層の内の少なくとも１つを起動させるように構成され、空間Ｓ１．．．ｎ，ａが提供され、層１．．．ｎについて測定されたＳＴＣ２値が提供されるようにｎ個の層の内の少なくとも２つの間に空間Ｓ１．．．ｎを有する可逆可動化手段をさらに含み、上式ではＳ１．．．ｎ＜Ｓ１ｎ，ａであり、ＳＴＣ１＜ＳＴＣ２である、上述されたＰＴＩを開示することが本発明の別の目的である。
【００２８】
外囲容器が、吸音材料、音響バッフル、音響ディフューザ、音響共鳴器、音響シールド、及びその任意の組合せから成るグループから選択された少なくとも１つによって、内部体積の中で音の残響、音の反射、又は両方を低減するように構成される、上述されたＰＴＩを開示することが本発明の別の目的である。
【００２９】
近位端及び反対の遠位端を備える主要な長手方向軸を有する細長い形状によって特徴付けられ、ＰＴＩが端部の内の少なくとも１つに温度調節ベント（ＴＲＶ）をさらに含み、ＴＲＶが実質的に軸に沿って端部から反対の端部に向かって空気を流すように適応され、軸に平行に患者を収容するためのサイズ及び形状によって構成され、さらにＴＲＶは少なくとも１つの第１の通気モジュール、少なくとも１つの第１の加熱／冷却モジュール、第１の通気モジュール又は第１の加熱／冷却モジュールのどちらかに隣接して位置する少なくとも１つのフィルタ、少なくとも１つの加湿モジュール、及びその任意の組合せから成るグループから選択されたモジュールである、上述されたＰＴＩを開示することが本発明の別の目的である。
【００３０】
本発明は、（ａ）患者搬送インキュベータ（ＰＴＩ）が、患者を収容するための形状及びサイズによって適応された第１のセットの寸法を有する内部体積を含み、内部体積が開放ボアの中に一時的に導入される形状及びサイズによって適応された第２のセットの寸法を有する外囲容器によってさらに覆われ、外囲容器の少なくとも一部分がＭＲＩ安全熱分離防音発泡体を含む、開放ボアを有するＭＲＩ機器に適したＰＴＩを入手するステップと、（ｂ）包囲された内部体積の中に患者を配置するステップと、（ｃ）ＭＲＩ開放ボアの中にＰＴＩを導入し、画像化するステップを含む、患者の磁気共鳴イメージングの方法を提供する。
【００３１】
本発明は、開放ボアを有するＭＲＩ機器に適した患者搬送インキュベータ（ＰＴＩ）を製造する方法を提供し、ＰＴＩは患者を収容するための形状及びサイズによって適応された第１のセットの寸法を有する内部体積を含み、内部体積は、開放ボアの中に一時的に導入される形状及びサイズによって適応された第２のセットの寸法を有する外囲容器によってさらに覆われ、外囲容器の少なくとも一部分はＭＲＩ安全熱分離防音発泡体を含み、（ａ）患者を収容するための内部体積の寸法を定めるステップと、（ｂ）ＭＲＩ開放ボアの中に一時的に導入される外囲容器の形状及びサイズによって適応された寸法を定めるステップと、（ｃ）内部体積をその環境から分離する外囲容器を形成するステップとを含み、外囲容器の少なくとも一部分が内部体積をその環境から分離するＭＲＩ安全熱分離防音発泡体を含む。
【００３２】
本発明は、（ａ）インキュベータが第１のセットの寸法を有する内部体積を含み、内部体積が患者を収容するための形状及サイズによって適応され、内部体積が、開放ボアの中に一時的に導入される形状及びサイズによって適応された第２のセットの寸法を有する外囲容器によってさらに覆われる、開放ボアを有する磁気共鳴イメージング機器（ＭＲＤ）に適したＰＴＩを入手するステップと、外囲容器の少なくとも一部分がＭＲＩ安全熱分離防音発泡体を含むときに、コンパートメントをその環境から制限するステップと、（ｂ）包囲された内部体積の中に患者を配置するステップと、（ｃ）ＭＲＩ開放ボアの中にインキュベータを導入し、画像化するステップを含む、患者のＭＲＩの介護プロトコルの基準を提供し、以下、つまり（ａ）ＰＴＩの内部で測定された音圧が６０ｄＢの最大レベルを超えず、ＰＴＩコンパートメントの内部体積の音響レベルが少なくとも１０ｄＢ、このコンパートメントの外部の音響レベルよりも低い、（ｂ）ＰＴＩの内部で測定された音圧が４５ｄＢの最大レベルを超えず、ＰＴＩコンパートメントの内部体積の音響レベルが少なくとも１０ｄＢ、このコンパートメントの外部の音響レベルよりも低い、（ｃ）ＭＲＩの間にＰＴＩを活用するときの患者の騒音により誘発されるストレスからの唾液コルチゾルレベル指数の平均値がＭＲＩの間の平均値よりもｎ倍低く、ｎが１．０５以上である、（ｄ）ＭＲＩの間にＰＴＩを活用するときの患者の毎分移動平均数が患者の毎分移動平均数よりもｍ倍低く、ｍが１．０５以上である、（ｅ）患者あたりのＭＲＩ反復数の平均数が、患者のＭＲＩの間のＭＲＩ反復平均数よりも、ＰＴＩ活用時にｐ倍低く、ｐが１．０５以上である、（ｆ）ＭＲＩの間にＰＴＩを活用するときの患者の開放空間に関係するストレスからの唾液コルチゾルレベル指数の平均値がＭＲＩの間の平均値よりもｑ倍低く、ｑが１．０５以上である、（ｇ）ＰＴＩの内部体積の温度が、３６℃の制御温度よりも最大２℃異なる、（ｈ）ＰＴＩの中のＯ２濃度が３０ｖｏｌ．％を下回らず、４０ｖｏｌ．％を超えない、（ｉ）ＰＴＩの中のＣＯ２濃度が４％を超えない、（ｊ）ＰＴＩの中のマットレス上の空気速度が０．３５ｍ／ｓを超えない、（ｋ）ＰＴＩの内部体積の平均湿度レベルが、最高で８５％のレベルで医療個人によって医療上予め定められたＭＲＩの間維持される、（ｌ）最高で２００ｍｌの漏れが発生しＰＴＩのコンパートメントに付着時に、ＰＴＩが安全に使用され続ける、（ｍ）ＰＴＩが、通常使用時に１０°傾けられるとき、及び輸送中に２０°傾けられるとき、安定したままとなる、（ｎ）力が１００Ｎ以下であるとき、ＰＴＩが転倒しない、（ｏ）ＰＴＩを活用するときの患者のＭＲＩ関係の落下事故の平均数が患者のＭＲＩ関係の落下事故の平均よりもｒ倍低く、ｒが１．０５以上である、（ｐ）ＰＴＩ活用時のＭＲＩに関連付けられる患者の感染平均数が、ＭＲＩに関連付けられる患者の感染平均数よりもｓ倍低く、ｓが１．０５以上である、（ｑ）ＰＴＩ活用時のＭＲＩ関連の患者の健康合併症の平均数が患者のＭＲＩ関連の健康合併症の平均数よりもｔ倍低く、ｔが１．０５以上である、（ｒ）電気設備システムを含むＰＴＩの内部体積での放射電��界が、ＥＭＣ（電磁両立性）のための副通則の周波数範囲の場合、最高で３Ｖ／ｍのレベルとなり、さらに電気設備が製造メーカによって指定されたようにその意図された機能を実行する、又はＥＭＣのための副通則の周波数範囲の場合、最高で１０Ｖ／ｍのレベルで安全性に対する危害を生じさせることなく機能しなくなる、及び（ｓ）ＭＲＩと関連する過剰加温事故及び火傷事故の平均数が、ＰＴＩ活用時にｕ倍低く、ｕが１．０５以上であることの内の少なくとも１つが当てはまる。
【００３３】
本発明は、開放ボアを有するＭＲＩ機器に適した患者搬送インキュベータ（ＰＴＩ）を提供し、ＰＴＩが、ＭＲＩと互換性のある新生児の寝台の少なくとも一部分を収容するための形状及びサイズによって適応された第１のセットの寸法を有する内部体積を含み、内部体積が、開放ボアの中に一時的に導入される形状及びサイズによって適応された第２のセットの寸法を有する外囲容器によってさらに覆われ、外囲容器の少なくとも一部分がＭＲＩ安全熱分離防音発泡体を含む。
【００３４】
包囲された内部体積を含み、外囲容器の少なくとも一部分が難燃性材料と一体化される、上述されたＰＴＩを開示することが本発明の別の目的である。
【００３５】
外囲容器が少なくとも１つの開口部を含む、上述されたＰＴＩを開示することが本発明の別の目的である。
【００３６】
以下、つまり（ａ）開口部が、開口部を通過する音を弱めるように構成された少なくとも１つの音響減衰手段をさらに含む、（ｂ）開口部が、管、生命維持、監視、検知、温度維持、換気、及びその任意の組合せから成るグループから選択された装置の通過のためのサイズ及び形状によって適応される、並びに（ｃ）開口部が、取扱者の手の通過を可能にするためのサイズ及び形状によって適応される、の内の少なくとも１つが当てはまる、上述のＰＴＩを開示することは本発明の別の目的である。
【００３７】
外囲容器を含み、外囲容器が、ＭＲＩと互換性のある新生児の寝台を収容するための少なくとも１つの開放位置、及び内部体積の中にＭＲＩと互換性のある新生児の寝台を少なくとも部分的に制限するように構成された少なくとも１つの閉鎖位置のために構成される、上述のＰＴＩを開示することは本発明の別の目的である。
【００３８】
外囲容器が、内部体積の中の患者への迅速な接近を可能にする簡易脱着機構を含む、上述のＰＴＩを開示することは本発明の別の目的である。
【００３９】
少なくとも部分的に透明な材料の少なくとも一部分を含み、透明な材料が患者の少なくとも一部を視覚的に観察することを可能にする、上述のＰＴＩを開示することは本発明の別の目的である。
【００４０】
以下、つまり（ａ）外囲容器がＭＲＩボアとの接触から患者の組織を分離するように構成される、（ｂ）内部体積を向く外囲容器の形状が、患者の人間工学的形状、非人間工学的形状、患者移動制限形状、及びその任意の組合せから成るグループから選択される、並びに（ｃ）外囲容器が、身体が導電ループを形成しないように、患者の身体の配置を可能にするためのサイズ及び形状によって定められる、の内の少なくとも１つが当てはまる、上述されたＰＴＩを開示することが本発明の別の目的である。
【００４１】
温度、湿度、Ｏ２濃度、ＣＯ２濃度、Ｏ２濃度、音響レベル、可聴周波数、音方向、音響振幅、音調、音速、振動、移動、ドリフト、光、ＰＴＩ構成、ＰＴＩ構造的完全性、ＰＴＩロック構成、及びその任意の組合せから成るグループから選択された少なくとも１つのパラメータを検知するように構成された少なくとも１つのセンサを含む、上述されたＰＴＩを開示することが本発明の別の目的である。
【００４２】
外囲容器を含み、外囲容器が、温度調節ベントモジュール、通気モジュール、ユーザインタフェースモジュール、制御ユニットモジュール、少なくとも１つの生命維持システムモジュール、監視モジュール、センサモジュール、及びその任意の組合せから成るグループから選択された少なくとも１つの可逆的に接続可能なモジュールを収容するように構成される、上述されたＰＴＩを開示することが本発明の別の目的である。
【００４３】
少なくとも１つの可逆的に接続可能なモジュールが、上部、底部、側部、後部、前部、及びその任意の組合せから成るグループから選択された、外囲容器に対する場所で接続可能である、上述されたＰＴＩを開示することが本発明の別の目的である。
【００４４】
ＰＴＩが、音響レベル、トーン、倍音構成、残響、可聴周波数、音波波長、音波振幅、音波速度、音波方向、音波エネルギー、音波位相、音波形状、音波エンベロープ、音の音質、及びその任意の組合せから成るグループから選択された所定の音響特性で、内部体積の中で騒音を低減するように構成される、上述されたＰＴＩを開示することが本発明の別の目的である。
【００４５】
ＰＴＩは、音響レベル低減、音響反射低減、音残響低減、音波拡散、改変されたサウンドシグネチャ、及びその任意の組合せから成るグループから選択された少なくとも１つによって騒音を低減するように構成される、上述されたＰＴＩを開示することが本発明の別の目的である。
【００４６】
ＰＴＩが、音響レベル、トーン、倍音構成、残響、可聴周波数、音波波長、音波振幅、音波速度、音波方向、音波エネルギー、音波位相、音波形状、音波エンベロープ、音の音質、及びその任意の組合せから成るグループから選択された、環境から内部体積に到達する少なくとも１つの音響特性を変更し、それによって少なくとも１つのサウンドシグネチャを生成するように構成される、上述されたＰＴＩを開示することが本発明の別の目的である。
【００４７】
サウンドシグネチャは、ユーザによって設定可能、所定、新生児の寿命パラメータに関して自動的に調整可能、及びその任意の組合せから成るグループから選択される、上述されたＰＴＩを開示することが本発明の別の目的である。
【００４８】
外囲容器が、患者に届くサウンドシグネチャを変更するように構成された、吸音材料、共鳴器、音響シールド、低音トラップ、音響バッフル、ディフューザ、遮音パッド、音響反射板、音響弱音器、及びその任意の組合せから成るグループから選択された少なくとも１つをさらに含む、上述されたＰＴＩを開示することが本発明の別の目的である。
【００４９】
外囲容器が、少なくとも１つの密封材料、少なくとも１つの吸音材料、少なくとも１つの吸振材料、及びその任意の組合せから成るグループから選択された材料の少なくとも一部分を含む、上述されたＰＴＩを開示することが本発明の別の目的である。
【００５０】
外囲容器の少なくとも一部分がｎ個の層を含み、さらにｎ個の層のそれぞれが内部体積に向かう内側、及び環境に向く反対の外側を含む、上述されたＰＴＩを開示することが本発明の別の目的である
【００５１】
ｎ個の層のそれぞれが、所定の騒音減少率（ＮＲＣ）値、音響伝送クラス（ＳＴＣ）値、又は両方を含み、さらにＮＲＣ値、ＳＴＣ値、又は両方がｎ個の層の内の１つのそれぞれに対して等しい又は異なることがある、上述されたＰＴＩを開示することが本発明の別の目的である。
【００５２】
ｎ個の層のそれぞれ、層のそれぞれが層外側で測定された少なくとも１つの音響レベルＳ１［ｄＢ］、及び層内側で測定された少なくとも１つの第１の音響レベルＳｎ［ｄＢ］を含み、ｄＳ１−．．．ｄＳｎを有し、ＰＴＩのｄＳがＳ１−Ｓｎに等しく、Ｓ１−Ｓｎ＜Ｓ１である、上述されたＰＴＩを開示することが本発明の別の目的である。
【００５３】
ＰＴＩが、（ａ）ｎ個の層の内の少なくとも２つの間の空間Ｓ１．．．ｎ（ｍｍ）、（ｂ）層１．．．ｎについて測定されたＳＴＣ１（音響伝送クラス）値、及び（ｃ）ｎ個の層の内の少なくとも１つに接続され、ｎ個の層の内の少なくとも１つを起動させるように構成され、空間Ｓ１．．．ｎ，ａが提供され、層１．．．ｎについて測定されたＳＴＣ２値が提供されるようにｎ個の層の内の少なくとも２つの間に空間Ｓ１．．．ｎを有する可逆可動化手段をさらに含み、上式ではＳ１．．．ｎ＜Ｓ１ｎ，ａであり、ＳＴＣ１＜ＳＴＣ２である、上述されたＰＴＩを開示することが本発明の別の目的である。
【００５４】
外囲容器が、吸音材料、音響バッフル、音響ディフューザ、音響共鳴器、音響シールド、及びその任意の組合せから成るグループから選択された少なくとも１つによって、内部体積の中で音の残響、音の反射、又は両方を低減するように構成される、上述されたＰＴＩを開示することが本発明の別の目的である。
【００５５】
近位端及び反対の遠位端を備える主要な長手方向軸を有する細長い形状によって特徴付けられ、ＰＴＩが端部の内の少なくとも１つに温度調節ベント（ＴＲＶ）をさらに含み、ＴＲＶが実質的に軸に沿って端部から反対の端部に向かって空気を流すように適応され、軸に平行に患者を収容するためのサイズ及び形状によって構成され、さらにＴＲＶが少なくとも１つの第１の通気モジュール、少なくとも１つの第１の加熱／冷却モジュール、第１の通気モジュール又は第１の加熱／冷却モジュールのどちらかに隣接して位置する少なくとも１つのフィルタ、少なくとも１つの加湿モジュール、及びその任意の組合せから成るグループから選択されたモジュールである、上述されたＰＴＩを開示することが本発明の別の目的である。
【００５６】
本発明は、（ａ）患者搬送インキュベータ（ＰＴＩ）は、ＭＲＩと互換性のある新生児の寝台の少なくとも一部分を収容するための形状及びサイズによって適応された第１のセットの寸法を有する内部体積を含み、内部体積が開放ボアの中に一時的に導入される形状及びサイズによって適応された第２のセットの寸法を有する外囲容器によってさらに覆われ、外囲容器の少なくとも一部分がＭＲＩ安全熱分離防音発泡体を含む、開放ボアを有するＭＲＩ機器に適したＰＴＩを入手するステップと、（ｂ）新生児の寝台の中に新生児を配置するステップと、（ｃ）包囲された内部体積の中に新生児の寝台を配置するステップと、（ｄ）ＭＲＩ開放ボアの中にインキュベータを導入し、画像化するステップを含む、患者の磁気共鳴イメージングの方法を提供する。
【００５７】
本発明は、開放ボアを有するＭＲＩ機器に適した患者搬送インキュベータ（ＰＴＩ）を製造する方法を提供し、ＰＴＩはＭＲＩと互換性のある新生児の寝台の少なくとも一部分を収容するための形状及びサイズによって適応された第１のセットの寸法を有する内部体積を含み、内部体積は、開放ボアの中に一時的に導入される形状及びサイズによって適応された第２のセットの寸法を有する外囲容器によってさらに覆われ、外囲容器の少なくとも一部分はＭＲＩ安全熱分離防音発泡体を含み、（ａ）ＭＲＩと互換性のある新生児の寝台の少なくとも一部分を収容するための内部体積の寸法を定めるステップと、（ｂ）ＭＲＩと互換性のある新生児の寝台の少なくとも一部分を収容するときに、ＭＲＩ開放ボアの中に一時的に導入される外囲容器の形状及びサイズによって適応された寸法を定めるステップと、（ｃ）内部体積をその環境から分離する外囲容器を形成するステップとを含み、外囲容器の少なくとも一部分は内部体積をその環境から分離するＭＲＩ安全熱分離防音発泡体を含む。
【００５８】
以下の発明を実施するための形態では、本明細書の一部を形成し、本発明が実施され得る特定の実施形態が例として示される添付図面が参照される。他の実施形態が活用され得、構造上の変化が本発明の範囲から逸脱することなく加えられ得ることが理解される。本発明は、これらの特有の詳細のいくらか又はすべてなしに特許請求の範囲に従って実施され得る。明確にするために、本発明に関係する技術分野で既知である技術資料は、本発明が不必要に分かりにくくならないように詳細に説明されていない。
【図面の簡単な説明】
【００５９】
【図１Ａ】シリンダ付きの実施形態でのＰＴＩ（１００）の概略図である。
【図１Ｂ】図１のＡの線に沿ったシリンダ付きの実施形態のＰＴＩ（１００）の断面図の概略図である。
【図２Ａ】矩形実施形態の搬送保育器（１００）の概略図である。
【図２Ｂ】図２のＡの線に沿った矩形実施形態の搬送保育器（１００）の断面図の概略図である。
【図２Ｃ】取外し可能ユーザインタフェース（８０）の実施形態の概略図である。
【図２Ｄ】図２のＣの線に沿った矩形実施形態の搬送保育器（１００）の断面図の概略図である。
【図２Ｅ】図２のＤの線に沿った矩形実施形態の搬送保育器（１００）の断面図の概略図である。
【図３】開口部（３０）及び取付け機構（４２）の別の実施形態を含むＰＴＩ（１００）の別の実施形態の概略図である。
【図４Ａ】ＰＴＩ（１００）の別の例示的な円筒形実施形態配置の概略図である。
【図４Ｂ】図４の線Ａに沿った円筒形実施形態のＰＴＩ（１００）断面図の概略図である。
【図５】ＰＴＩの外囲容器の１つの断面にわたる温度を示す概略図である。
【図６】ＰＴＩの外囲容器の１つの断面にわたる音響レベルを示す概略図である。
【図７】ＰＴＩの外囲容器の中で及び外部での時間の関数として温度を示す概略図である。
【図８】温度調節ベント（６００）を含む円筒形実施形態のＰＴＩ（１００）の概略図である。
【図９】多層構造（３００）を含む円筒形実施形態のＰＴＩ（１００）の概略図である。
【図１０】ＭＲＩカートに取り付けられた新生児インキュベータを封入する円筒実施形態のＰＴＩ（１００）の概略図である。
【図１１】ＭＲＩカートに取り付けられた新生児インキュベータを封入するキャノピー実施形態のＰＴＩ（１００）の概略図である。
【発明を実施するための形態】
【００６０】
以下の発明を実施するための形態では、本明細書の一部を形成し、本発明が実施され得る特定の実施形態が例として示される添付図面が参照される。他の実施形態が活用され得、構造上の変化が本発明の範囲から逸脱することなく加えられ得ることが理解される。本発明は、これらの特有の詳細のいくらか又はすべてなしに特許請求の範囲に従って実施され得る。明確にするために、本発明に関係する技術分野で既知である技術資料は、本発明が不必要に分かりにくくならないように詳細に説明されていない。
【００６１】
本発明の本質は、開放ボアを有するＭＲＩ機器に適した患者搬送インキュベータ（ＰＴＩ）を提供することであって、ＰＴＩは患者を収容するための形状及びサイズによって適応された第１のセットの寸法を有する内部体積を含み、内部体積は開放ボアの中に一時的に導入される形状及びサイズによって適応された第２のセットの寸法を有する外囲容器によってさらに覆われ、外囲容器の少なくとも一部はＭＲＩ安全熱分離防音発泡体を含む。
【００６２】
さらに、本発明は、磁気共鳴イメージング機器（ＭＲＤ）に適した患者搬送インキュベータ（ＰＴＩ）を提供する、提供される。開放ボアを有するＭＲＤ、第１のセットの寸法を有する内部体積を含むインキュベータ、内部体積は２０１３年５月２１日付けの、その全体として組み込まれる特許第２２６４８８ＩＬ号に説明されるように、ＭＲＩと互換性のある新生児の寝台の少なくとも一部分を収容するための形状予備サイズによって適応され、内部体積は、開放ボアの中に一時的に導入される形状及びサイズによって適応された第２のセットの寸法を有する外囲容器によってさらに覆われ、外囲容器の少なくとも一部分は、内部体積をその環境から分離する熱分離ＭＲＩ安全不干渉防音発泡体を含む。
【００６３】
熱分離ＭＲＩ安全発泡体の少なくとも一部分を含むＰＴＩは、患者の体温が維持されるのでＭＲＩの安全性を高める。ＰＴＩの防音品質は患者の聴覚を保護し、騒音に関係するストレスを低減する。ＰＴＩはストレス関係健康合併症及びＭＲＩの不必要な反復を低減する。
【００６４】
用語「磁気共鳴イメージング機器」（ＭＲＤ）は、特に以後、任意の磁気共鳴イメージング（ＭＲＩ）機器、任意の核磁気共鳴（ＮＭＲ）分光器、任意の電子スピン共鳴（ＥＳＲ）分光器、任意の核四重共鳴（ＮＱＲ）、任意のレーザー磁気共鳴装置、任意の量子回転磁場磁気共鳴機器（サイクロトロン）、及びその任意の組合せに適用する。また、本発明での該用語は、コンピュータ断層撮影（ＣＴ）、超音波（ＵＳ）等の関心のある体積を含む、任意の他の解析計器及び画像化計器にも適用する。ここで開示されたＭＲＤは、任意選択で、ＡＳＰＥＣＴ−ＭＲ  Ｌｔｄ市販機器等の携帯用のＭＲＩ機器、又は市販されている携帯できない機器である。
【００６５】
用語「ＭＲＩ安全」は、本明細書で、ＭＲ環境での使用時に患者に対し追加のリスクを呈さず、診断情報の質に著しく影響を及ぼさない任意の材料を交換可能に指す。材料は完全に非磁性、非導電性、及び非ＲＦ反応性であり、ＭＲＩ処置の間の潜在的な最大の脅威のすべてを排除する。
【００６６】
用語「開放ボア」は、本明細書で、以後、ＭＲＤの開放ボアを、及びＣ形状ＭＲＤの開放ヨークについて交換可能に指す。
【００６７】
用語「患者」は、本明細書で、以後、新生児、赤ちゃん、乳児、幼児、小児、青年、成人、高齢者等のグループから選択された用語を交換可能に指す。さらに、この用語は人間又は動物を指す。
【００６８】
用語「取扱者」は、本明細書で、以後、医療個人、保守人員、付き添い、及び技術者のグループから選択された用語を交換可能に指す
【００６９】
用語「発泡体」は、以後、Ｔｈｅ  Ｄｏｗ  Ｃｈｅｍｉｃａｌ  Ｃｏｍｐａｎｙから市販されているスタイロフォーム（登録商標）、発泡スチロール、高衝撃ポリスチレン、ポリブタジエン、ポリウレタンフォーム、ポリ塩化ビニル発泡体、ポリイミド発泡体、シリコーンフォーム、ポリメタクリルイミド発泡体、ポリプロピレンフォーム、ポリエチレンフォーム、シンタクチックフォーム、ゴム、ポリブタジエンゴム、炭素、セルロース、でんぷん、黒鉛、アクリロニトリル、無水マレイン酸、ジビニルベンジン、エアロゲル、シリカエローゲル、セラミック、ポリイソシアヌレート、セメント質発泡体、ガラス、シリカ等の材料を交換可能に指す。さらに、この発泡体は、開細胞、閉細胞発泡体であり、ガラス、炭素、エポキシ等の追加材料のマイクロバルーンを含むことがある、又は代わりに、発泡体は複合フォームであり、これらは、異なる外装品又は発泡体を互いに層化することによって作られ、特定の用途タイプに対する強化された性能を生じさせる音響発泡体である。さらに又は代わりに、発泡体は多孔性、無孔、少なくとも部分的に可撓、剛性、液体吸収性、軽量であることがある。
【００７０】
用語「難燃性材料」は、以後、テトラブロモビスフェノールＡ、デカブロモジフェニルエーテル、ヘキサブロモシクロドデカン、塩化パラフィン、ドデカクロロペンタシクロオクタデカジエン、リン酸ジフェニル、リン酸トリアノール、金属ホスフィン酸塩、９，１０−ジヒドロ−９−オキサ−１０−ホスファフェナントレン１０−オキシド、リン酸トリクロロプロピル、ポリリン酸アンモニウム、赤燐、メラミン、メラミンシアヌレート、ポリリン酸メラミン、メラミンポリ亜鉛、メラミンポリアルミニウム、リン酸塩、メラミンをベースにしたＨＡＬＳ（ヒンダードアミン系光安定剤）、膨張難燃性システム、金属水酸化物、亜鉛化合物三酸化アンチモン、膨張性黒鉛、有機層状ケイ酸塩、天然油ポリオール等の材料を交換可能に指す。
【００７１】
用語「透明な材料」は、以後、ポリメチルメタクリレート、熱可塑性ポリウレタン、ポリエチレン、ポリエチレンテレフタレート、イソフタル酸変性ポリエチレンテレフタレート、グリコール変性ポリエチレンテレフタレート、ポリプロピレン、ポリスチレン、アクリル、ポリアセテート、酢酸セルロース、ポリカーボネート、ナイロン、ガラス、ポリ塩化ビニル等の材料を交換可能に指す。
【００７２】
用語「コンパートメント」は、本明細書で、形状及びサイズによって定められる保育器の内部体積を交換可能に指す。
【００７３】
用語「マットレス」は、本明細書で、患者が配置される内側外囲容器の部分を交換可能に指す。
【００７４】
用語「ＣＰＵ−中央演算処理装置」は、以後、システムの基本的な算術演算、論理演算、及び入力／出力操作を実行することによってコンピュータプログラムの命令を実行するコンピュータの中のハードウェアを交換可能に指す。
【００７５】
用語「検知装置」は、以後、信号又は刺激（熱、圧力、光、運動、音、湿度等）を受信し、独特のやり方で信号又は刺激に応える任意の機器を交換可能に指す。
【００７６】
用語「視覚インジケータ」は、約３８０ナノメートルから約７４０ｎｍの可視光範囲の光の表現を交換可能に指す。より一般には、用語は、本発明のユーザによって容易に気付かれる可視範囲内の任意の光を指す（光、閃光、点滅光、明滅光、光の色のスペクトルの変化等）。
【００７７】
用語「可聴インジケータ」は、以後、通常、電圧としての音の表現を交換可能に指す。可聴インジケータは、ほぼ２０から２０，０００Ｈｚ（人間の聴覚限界）の可聴周波数範囲内の周波数を有する。可聴インジケータは、直接的に合成されることもあれば、マイク、楽器ピックアップ、レコードプレーヤーのカートリッジ、又はテープヘッド等の変換器から出てもよい。
【００７８】
用語「感知インジケータ」は、以後、ユーザに容易に気付かれるユーザインタフェースの少なくとも一部分の物理的な運動を交換可能に指す（震え、振動、揺れ、等）。
【００７９】
用語「簡易脱着機構」は、以後、簡易脱着、つまり、固締具、ドローラッチ、ラッチ、ロック、ベルト、ボルト、グリップ、バー、ボンド、クランプ、留め金、接続、材料固定具、リンク、フック、掛け金、バックル、ハーネス、クリップ、スナップ、ピン、くい、グラップネル等の、患者の簡易／即時解放を可能にするインキュベータ外囲容器パーツの高速分離を容易にする機構を交換可能に指す。
【００８０】
用語「人間工学の」は、以後、ユーザ、取扱者、又は両者の不快感を最小限に抑えるように構成されたインキュベータの設計を交換可能に指す。インキュベータは、患者の身体及びその認識能力に適合するように設計される。より詳細には、この用語は、患者の福祉を最大限にするために適切であるように、サイズ、形状、表面特性、音響伝送、光伝送等によって適合するインキュベータの内部体積の中での配置に関する。この用語は、取扱者向けに設計されたインキュベータのヒューマンインタフェース、つまりユーザインタフェース、開閉機構等のパーツに関し、全体的なサイズ及び形状、他の装置等に対する接続はすべて人的要因を考慮に入れるように設計される。
【００８１】
用語「ロック機構」は、以後、患者トレイ、ガーニー、患者ベッド、トロリー、ベビーカー、車いす、乳母車、テーブル、バー、ベンチ、ボード、カウンタ、デスク、スタンド、コンソール、トロリー等の他の装置にインキュベータを接続する機構を交換可能に指す。
【００８２】
用語「医療機器」は、以後、患者に関連して医療スタッフによって使用されるすべての機器、管、コネクタ、ワイヤ、液体キャリア、針、センサ等を交換可能に指す。この医療機器は、生命維持、ＭＲＩ対照液注入、有酸素運動速度及び呼吸数の監視等の多様な目的に使用される。
【００８３】
用語「電気設備」は、以後、交流（ＡＣ）、直流（ＤＣ）、又は両方等の任意のソースから電気によって動力を提供されるすべての機器を交換可能に指す。さらに、この電流は、内部で、外部で、又は両方で供給される。
【００８４】
用語「ユーザインタフェースは、以後、ユーザがインキュベータと対話する少なくとも１つの定められた領域を交換可能に指す。この領域には、医療機器用通路、ディスプレイ、ＣＰＵ、警報システム、監視システム、電源、開放機構、閉鎖機構、インジケータ等がある。ユーザインタフェースは取扱者、ユーザ、又は両者向けに設計される。
【００８５】
用語「モジュール」は、以後、インキュベータを接続及びインキュベータから取り外すことができる構造上独立しているパーツを交換可能に指す。このモジュールはそれ自体接続される、又はその輪郭内の別の要素によって、インキュベータに対して埋め込まれる、一体化される、配置される、相互接続される、収容される、入れられる等。
【００８６】
用語「ユーザインタフェースモジュール」は、以後、取扱者又はユーザが対話する要素の内の少なくとも１つを編成するモジュールを交換可能に指す。
【００８７】
用語「通気モジュール」は、以後、空気を循環し、均等に又は定められた方向でのどちらかで空気を分配するモジュールを交換可能に指す。より詳細には、用語は、ファン、噴流、ブロワ、圧縮機、ポンプ等に関係する。
【００８８】
用語「加熱／冷却モジュール」は、以後、加熱することによってもしくは冷却することによってのどちらか、又は両方を行うことによって温度を制御するモジュールを交換可能に指す。より詳細には、用語は、空調管理されたシステム、赤外線ヒータ、水／油で加熱されたラジエータ、コイル加熱器、開放コイル空気加熱器、円形開放コイル空気加熱器、対流加熱器、まっすぐな又は形成された管状加熱器、石英管空気加熱器、コンデンサ型加熱器、ペルティエモジュール等に関する。
【００８９】
用語「所定値」は、以後、呼吸、心臓機能、血中酸素、脳活動等の医学的な値、温度湿度、Ｏ２、ＣＯ２、音圧レベル、振動、ドリフト、電気、無線周波数等の環境上の値、データ転送、インキュベータ外囲容器の開放状態もしくは閉鎖状態、インキュベータの構造的完全性、相互接続されたパーツの構造的完全性、インキュベータの一般的な機能等のシステム値を交換可能に指す。
【００９０】
用語「唾液コルチゾルレベルのストレス指数」は、以後、唾液中のコルチゾルレベルの測定によって評価されるストレスを交換可能に指す。
【００９１】
用語「医療施設」は、以後、医療、医療検査、実験室等の医療サービスを提供する任意の施設を交換可能に指す。
【００９２】
ＰＴＩのパーツ及びモジュールを参照して、用語「接続」は、以後、ＰＴＩのパーツ及びモジュールの互いに対する、及び第三者に対する任意の接触、関係、関連付け、統合、相互接続、接合等を交換可能に指す。
【００９３】
用語「人間の聴覚」は、本明細書で、人間の耳によって受け取られる任意の音を交換可能に指し、通常の聴覚の典型的な周波数範囲は２０−Ｈｚから２０，０００Ｈｚである。対数デシベルスケール、ｄＢは、音響パワーを指すときに使用される。
【００９４】
用語「デシベル」又は「ｄＢ」は、本明細書で、振幅等の２つの値の間の比率を表すために使用される単位を交換可能に指す。音響パワー比率がｘであり、振幅比率が√ｘである場合、次いでｄＢは１０  ｌｏｇ１０  ｘに同等である。ウィキペディアに示されるように、フィールド振幅の測定値を指すとき、Ａ１（測定された振幅）及びＡ０（基準振幅）の二乗の比率を考慮することが普通である。したがって、以下の定義が使用される。
【数１】
0006673825.tif 000002
【００９５】
１０の係数による出力比の変化は、１０ｄＢの変化である。デシベルは、一般に、空気中の２０マイクロパスカル及び水中の１マイクロパスカルの基準圧の場合、音圧の単位として音響学で使用される。空気中の基準圧力は平均的な人間の知覚の典型的な閾値で設定され、異なるレベルの音圧を示すために使用される共通の比較がある。音圧はフィールド量であり、したがって単位定義のフィールド版が使用され、
【数２】
0006673825.tif 000003
上式では、ｐｒｅｆは、空気中の２０マイクロパスカル又は水中の１マイクロパスカルの標準基準音圧レベルに等しい。
【００９６】
デシベルスケールでは、（完全静寂に近い）最小の可聴音は０ｄＢである。ここにいくつかの共通の音があり、そのデシベル定格は当技術分野で既知の通り、つまり完全静寂に近い−０ｄＢ、囁き−約１５ｄＢ、通常の会話−約４０から６０ｄＢ、芝刈り機−約９０ｄＢ、車の警笛−約１１０ｄＢ、ロックコンサート又はジェットエンジン−約１１０から１５０ｄＢ、発砲又は爆竹−１４０ｄＢである。８５ｄＢを超えるいかなる音も聴力損失を引き起こすことがあり、損失は曝露の長さだけではなく音のパワーにも関係することが、当技術分野で既知である。９０−ｄＢの音の８時間は、耳に損傷を与えることがあり、１４０−ｄＢの音へのどのような曝露も差し迫った損傷を引き起こす（及び、実際の痛みを生じさせる）。
【００９７】
本発明の一実施形態によると、ＰＴＩは、内部体積の中で音響レベルを４５ｄＢ以下に維持するように構成される。
【００９８】
ウィキペディアに示されるように、音は任意の人間、動物、又は任意の機械的な機器もしくは受信機によって妨害されるときに、空気又は水等の媒体を通して、典型的には圧力及び変位の可聴の力学的な波を伝搬する振動であるので、用語「音」は、本明細書であらゆる可聴音波を交換可能に指す。音を、以下のパラメータ、つまり（音圧として又はデシベル［ｄＢ］で測定できる音響レベル、倍音構成、残響、可聴周波数［Ｈｚ］、音波波長［フィート又はメートル］、トーン、音波振幅、音波速度［毎秒メートル又は毎秒フィート］、音波方向、音質、音波位相、音波形状、音波エンベロープ、及び音波エネルギー［ジュール］の内の少なくとも１つによって特徴付けることができることは本発明の範囲内である。上述の特性のいずれもサウンドシグネチャを定めるために使用できる。防音が環境のサウンドシグネチャの少なくとも１つの特性での任意の所望される変化であることは本発明の範囲内である。
【００９９】
用語「波形」は、波の実際の形状である。いくつかの異なるタイプの波は正弦波、台形波、方形波、三角波、鋸歯状波、曲線波、線形波、及びその任意の組合せである。音にその音質（音の音色、つまり質）を与えるのは、基本波及び調波の一意の組合せである。音質は、音波エンベロープによっても定められる。エンベロープは振幅及び波長の組合せの種類である―エンベロープは、ＡＤＳＲ（立ち上がり、減衰、減衰後の保持、余韻）に分けられる音の個々の部分を説明する。立ち上がり−音が、音源が振動を始めた後にどのように開始されるのか、減衰−立ち上がり後の最初の激減、減衰後の保持−音が最初の減衰後に相対的に一定のままであるとき、余韻−音が弱まりなくなる期間及び様子（ｈｔｔｐ：／／ｗｗｗ．ａｕｄｉｏｄｕｃｔ．ｃｏｍ／Ｌｅｓｓｏｎｓ）。本発明の別の実施形態によると、サウンドシグネチャの音波は調和的又は非調和的であることがある。さらに又は代わりに、波は同じ又は異なる調波レベルである。
【０１００】
用語「音波位相」は、本明細書では、２つの波の間の時間関係性を指す。同相−波は互いに作用している（圧縮及び希薄化が同時に両方の波で発生する）。これは振幅を増やす。２つの波が完全に同相である場合、次いで振幅は３ｄＢ増加する。位相の不一致−波は互いに反対に作用する（希薄化が他方の波で発生している間に、圧縮が一方の波で発生している。波が完全に異相である場合（１８０°）、極端な取消しがある。
【０１０１】
外囲容器発泡体が、環境でのいかなる騒音発生器によって生成された音よりもインキュベータの内部体積に異なるサウンドシグネチャを進入させることによって防音品質を提供することは、さらに本発明の範囲内である。したがって、外囲容器は、騒音発生器によって生成される音が該内部体積の中で人間の聴覚限界内で可聴とならないように該騒音発生器によって生成される音を完全に減衰でき、さらに又は代わりに、音は部分的に、完全に減衰できる、又は音の特性の内の少なくとも１つで減衰し、したがって新しいサウンドシグネチャを生じさせることができる。
【０１０２】
用語「騒音」は、本明細書で、（Ｈｚでの）周波数スペクトル、（ｄＢでの）強度、及び時間分に関して定められる任意の不必要な音を交換可能に指す。また、音はそのサウンドシグネチャによっても定められる。騒音は定常状態、間欠的、衝撃的、又は爆発的であることがある。過渡的な聴力損失は大きな騒音にさらされた後に発生し、一時的な閾値シフト（つまり、可聴閾値におけるシフト）を生じさせることがある。この用語は、メロディー、タッピング、バンギング、チャーピング、キーキーいう音、破裂音、ブンブンいう音、耳障りな不快な音、どよめき、騒ぎ、衝突音、反響、叫び声、爆発音、怒声、喧噪、バンという音、うなり声、雄たけび、とどろき、ギャーギャー鳴く声、カーンという音、カチャカチャいう音、デトネーション、やかましい音、不協和音、動揺、不安、太鼓のような音、噴出、ジャンジャン鳴る音、悲嘆の声、叫び、大混乱、鐘が鳴り響く音、騒音、ノックする音、銃声、歓声、ガーガーいう音、きいきいいう音、ドンという音、騒々しい、わめき、音楽、又はそれぞれの単数又は複数を含むその任意の組合せ等の意図された及び／又は意図されていない調和的な及び／又は非調和的な音をさらに含む。騒音は、セクションの厚さ、視界、反復時間、及び反響時間の減少で強化される傾向がある。さらに、騒音特性は空間依存性を有する。例えば、騒音レベルは磁気共鳴システムのボア等の画定された空間の中又はインキュベータの中の患者の位置の関数として１０ｄＢも変わることがある。患者の存在及びサイズが、音響ノイズのレベルに影響を及ぼすこともある。空気伝送音は空気を通って移動し、材料、アセンブリ、又は間仕切りを通って伝送することがある。また、音は戸口の下、換気装置を通って、障害物の上、下、回り、又は通って通過することもある。音が、音が不必要である部屋に到達すると、音は騒音になる。さらに、騒音は残響及び反射によって引き伸ばされ、拡大されることがある。
【０１０３】
さらに又は代わりに、騒音は、医療機器の操作、スキャン機器、モータと連通するインキュベータ、取り付けられている医療機器、生命維持装置、通気機構、温度調節システム、空気濾過システム、加湿器から派生する騒音、磁気共鳴コイルの中の電流の急速な交番、外部警報、外部言語音、インキュベータの閉鎖又は開放、インキュベータ近傍での装置の取扱い等から生じることがある。
【０１０４】
発泡体が、音が媒体を通過するにつれて媒体自体の中で消散する音響エネルギーの少なくとも一部分を有する受動吸音材料として提供されることは本発明の範囲内である。吸音材料は、絡み合ったファイバ又は紡糸ファイバから一般的に形成される多孔性材料等であることがある。共通の多孔性吸収器が、音響エネルギーが熱に変換される気泡構造の中に空気が流れ込むのを可能にする。これらは布又はカーペット、噴射適用セルロース、通気しっくい、繊維状ミネラルウール、及びガラス繊維、開細胞発泡体、及びフエルト状の又は鋳造された多孔性の天井タイルの厚い層を含んでよい。
【０１０５】
さらに、中から、上部、底部、側部、前部、後部で、少なくとも部分的にインキュベータを包囲し、インキュベータ内部体積の少なくとも一部分に沿って等、インキュベータと関連して組み込まれる、同じ発泡体又は別の防音材料の追加の層が騒音減衰を実現するために使用されることは、本発明の範囲内である。
【０１０６】
また、共鳴器は音を吸収することができ、これは閉じ込められた空気の包囲された体積に接続された穴又は長穴によって作り出される。用語「共鳴器」は、本明細書で、通常、狭周波数範囲で音を吸収するために働くように構成された構造を交換可能に指す。共鳴器はいくつかのの穿孔された材料並びに開口部（穴及び長穴）を有する材料を含む。例えば、瓶の形状を有するＨｅｌｍｈｏｌｔｚ共鳴器。共振周波数は、開口部のサイズ、首の長さ、及びチャンバに閉じ込められた空気の体積によって制限される。
【０１０７】
本発明の別の実施形態によると、吸音共鳴器を提供するように構成された穴又は長穴が埋め込まれている発泡体をさらに含む上述されたＰＴＩが開示される。本発明の別の実施形態によると、外囲容器は、絶縁材、音響ディフューザ、音響共鳴器、音響シールド、音響バッフル、音響反射板、吸音材、消音器、及びその任意の組合せから成るグループから選択された少なくとも１つを収容するように構成された少なくとも１つの凹状の形状又は長穴を含む。
【０１０８】
他の吸収器はパネル吸収器である。通常、パネル吸収器は、例えば、骨組み上の薄い木材羽目板、軽量で不透水の天井及び床、音に反応して共鳴できるガラス細工及び他の大きな表面等、隣接する空気分子によってかけられる音圧に応えて屈曲モードで振動する空隙上に配置される非剛性の無孔材料である。吸収器は、（エネルギーを反射するのと対照的に）吸収されたエネルギーの少なくとも一部が熱又は移動エネルギーに変換される吸収器と音波が衝突するときに音響エネルギーを吸収することによって音響ノイズを低減するように構成される。さらに又は代わりに、外囲容器、発泡体、又は両方に対する吸収表面処理は残響の問題と反射の問題の両方を排除するのに役立つことがある。
【０１０９】
発泡体が、インキュベータ内部環境への騒音の伝送を少なくとも部分的に妨げるように構成されたマスバリアとして提供されることは、さらに本発明の範囲内である。発泡体が多孔性吸音材料として提供されることは、さらに本発明の範囲内である。
【０１１０】
本発明の別の実施形態によると、振動減衰及び／又は振動絶縁の手段をさらに含む上述されたＰＴＩが開示される。ゴム、ばね、コルク、又は物理ブレーキ等のあらゆる可撓要素であることがある。
【０１１１】
用語「防音材料」又は「遮音パッド」は、本明細書で、音を吸収する、音の障壁として働く、又は両方の能力を備えた任意の材料を交換可能に指す。これは、非制限的に、コルク、羊毛、綿、アマモ、繊維ガラス、グラスウール、木材、紙、Ｃｏｂａｌｔ  Ｑｕｉｌｔ、サトウキビ、水和硫酸カルシウム、ＰＯＰ、コイア、プラスチック、ＰＶＣ、穿孔された金属、鉱物質繊維板、又はＭｉｃｏｒｅ、Ｔｈｅｒｍｏｃｏｌｅ、ポリウレタン、ジュート、マイラーフィルム、メラミン、ゴム、ロックウール、セルロース、ポリスチレン、ポリエチレン、ポリエステル、リサイクル時のこれらの材料のいずれか等の材料を指すことがある。さらに、音響材料は、シート、布、タイル、毛布、発泡体、ラグ、カーペット、掛け布、カーテン、パネル、ボード、任意の鋳造形状、ロッド、ブロック、ビーズ、ストロー状、小石状の粒子等の１つ又は複数の形であることがあり、布は基板の回りに巻き付けられ、「プレハブパネル」と呼ばれるものを生成することがあり、及びその任意の組合せを作成することがある。さらに又は代わりに、絶縁材料は少なくとも部分的に複合フォームから構成できる。複合フォームは、音響遮断機能と吸音機能の両方を提供する等、同時に複数の音響要件を満たすことができる。これらは開細胞発泡体又は閉細胞発泡体であることがある。さらに又は代わりに、すべての上述の材料は少なくとも部分的に多孔性であることがある。さらに又は代わりに、すべての上述の材料は耐火材料と結合できる。ＭＲＩ安全温度調節防音発泡体が防音材料である、及び／又はさらに防音材料を埋め込まれている／防音材料で覆われていることは、本発明の範囲内である。
【０１１２】
用語「低音トラップ」は、本明細書で、室内のＬＦ共鳴を低減することによってより平坦な低周波（ＬＦ）室内応答を達成することを目的として低周波音響エネルギーを減衰するように設計される音響エネルギー吸収器を交換可能に指す。他の音響吸収機器と同様に、低音トラップは摩擦を通して音響エネルギーを熱に変換することによって機能する。概して、２つのタイプの低音トラップ、つまり共鳴吸収器及び多孔性吸収器がある。共鳴吸収器は、本質的に、狭帯域作用につながる傾向があり［狭い範囲の可聴周波数だけを吸収する］、多孔性吸収器は広帯域作用につながる傾向がある［可聴バンド−低周波数、中周波数、及び高周波数−にわたってずっと音を吸収する］。ただし、両方のタイプともその吸収作用においてより狭くなる又はより広くなるかのどちらかのなるように改変できる。共鳴タイプ低温トラップの例は、Ｈｅｌｍｈｏｌｔｚ共鳴器、及び音が発生するときに部屋の空気と共感して自由に振動する隔壁の要素又は膜に基づいた機器を含む。
【０１１３】
本発明の別の実施形態によると、該外囲容器は、少なくとも１つの低音トラップ、少なくとも１つの吸収共鳴器、少なくとも１つの多孔性共鳴器、少なくとも１つのディフューザ、及びその任意の組合せから成るグループから選択されたものを含む、上述されたＰＴＩが開示される。
【０１１４】
用語「拡散」が、音響エネルギーが所与の環境で均等に拡散される効果を指すことは、本発明の範囲内である。完全に拡散性の音響空間は、ウィキペディアに定義されるように、空間内のどこでも同じである特定の重要な音響特性を有する空間である。非拡散音響空間は、傾聴者が部屋を歩き回るので著しく異なる残響時間を有するだろう。きわめて非拡散である空間は、音響吸収が空間の回りで不均等に分散している空間、又は２つの異なる音響ボリュームが結合される空間である。音場の拡散性は、室内の多数の点で残響時間測定値を採取し、次いでこれらの減衰期間に対する標準偏差を採取することによって測定できる。小さい音響空間は概して、部屋のモードのために低周波数で非常に不十分な拡散特性を有する。
【０１１５】
依然として本発明の範囲内で、「ディフューザ」及び「ディフューザ」は、本明細書で、例えばエコー等の医療機器の中の音響収差を処理するための手段を定義するために交換可能に使用される。ウィキペディアに示されるように、ディフューザは音響エネルギーを除去しないが、生で音が鳴っている空間を離れながらも異なるエコー及び反射を効果的に低減するために使用できるため、ディフューザは音響吸収に対する優れた代替策又は補完物である。入射角に等しい角度でエネルギーの大半を反射させる反射面と比較すると、ディフューザは、音響エネルギーを多くの方向で放射させ、したがってより拡散性の音響空間を生じさせる。ディフューザが空間的だけではなく時間でも反射を拡散することも重要である。ディフューザは音波拡散に役立つことがあるが、これはディフューザが多くの場合に使用される理由ではない。ディフューザは着色及びエコーを排除するためにより頻繁に使用される。用語「ディフューザ」はＭＬＳディフューザ、１０００Ｈｚ平方剰余ディフューザ、原始根ディフューザ、最適化ディフューザ、二次元（「半球」）ディフューザ等にも関する。
【０１１６】
用語「音響バッフル」は、本明細書で、ｄＢ（デシベル）で測定される空気伝送音の強度（レベル）を低減する構造又は機器を交換可能に指す。音響バッフルは、騒音又は残響を最小限に抑える診療のための騒音緩和の基本的なツールである。音響バッフルの重要なタイプは遮音壁／音響シールドである。音響バッフルは、音響エネルギーを吸収し、したがって残響を減少させるために建物内部の壁及び天井にも適用される。これらは、非制限例として、波動バッフル、布で被覆されたバッフル、カーテンバッフル、パネルバッフル等を含む。
【０１１７】
インキュベータが、新生児を収容するために少なくとも１つの空気流開口部が取り付けられた外囲容器を含み、開口部が、音を減衰するように構成された、共鳴器、音響バッフル、ディフューザ、低音トラップ、音響弱音器、音響シールドから成るグループから選択された少なくとも１つを含むことは、さらに本発明の範囲内である。さらに又は代わりに、外囲容器はｈで表される高さを有する体積を含み、好ましくはミリメートルで測定される。ｈの値は、医療機器中で一定又は可変であることがある。この体積の少なくとも一部分で、共鳴器及び／又は減衰器を実装できる。さらに、この体積は、パーフォレーションの回り及び／又は中に位置する吸音材料で充填できる。
【０１１８】
用語「音響シールド」は、本明細書で、以後、患者に届く音を下げるように構成された、単数又は複数の、任意の防音壁又は音響反射パネル、吸音パネル、スクリーン、バッフル、又はその任意の組合せを指す。
【０１１９】
用語「残響」は、本明細書で、残響と呼ばれる継続する複数の反射によって生じる室内での音の長期化を交換可能に指す。これは、音が聞こえなくなり、エネルギーを発するのを停止するのに要する時間の間に少なくとも部分的に包囲された空間で起こることがある。部屋の表面がきわめて反射性であるとき、音は反射又は残響し続ける。この状況の効果は、長い残響時間のライブ空間として説明される。高い残響時間は空間内の騒音レベルの高まりを生じさせる。
【０１２０】
用語「反射」は、本明細書で、音が受信機に到達する前に少なくとも１つの表面又は物体から跳ね返る現象を交換可能に指す。これらの反射は不必要な結果又は悲惨な結果も有することがある。反射する角又は尖頂のある天井は、鬱陶しい反射及び音の大きな空間を潜在的に生じさせる「メガホン」効果を生じさせることがある。反射平行面は、定常波と呼ばれる独特な音響問題に役立ち、２つの方面の間に音の「フラッタリング」を生じさせる。定常波は、心地よい感覚又は鬱陶しい感覚として聞かれることがある自然共鳴を生じさせることがある。反射は、表面上の材料だけではなく空間の形状にも帰することがある。ドーム及び陥凹面は反射を、鬱陶しい音の反響を生じさせることがある、反射の分散よりも反射の集束を生じさせる。
【０１２１】
用語「ＮＲＣ」又は「騒音減少率」は、本明細書で、４オクターブのバンド中心周波数（２５０Ｈｚ、５００Ｈｚ、１０００Ｈｚ、２０００Ｈｚ）全体での平均的な吸収を提示する材料／製品の特性を交換可能に指す。ＮＲＣ．７５の製品は、製品に衝突する音響エネルギーの約７５％を吸収すると大まかに推定できる。最高レベルはＮＲＣ１．０である。実質的には、これが５％近くに四捨五入される中間周波数吸収率の平均であり、高周波数及び低周波数を含まない。
【０１２２】
用語「ＳＴＣ」又は「音響伝送クラス」は、本明細書で、材料及び／又は製品の伝送損失特性の数定格を交換可能に指す。それは、周波数１２５から４０００Ｈｚで空気伝送音の転送に抵抗する材料の又はアセンブリの能力の単数の定格である。実質的には、これは材料の障壁能力の質を指す。一般に、より高いＳＴＣ定格の材料／製品は、間仕切りを通してより多くの騒音が伝送されるのを遮る。ＳＴＣは間仕切りの構造にきわめて依存する。間仕切りのＳＴＣは、質量を追加すること、空隙を増加又は追加すること、間仕切りの中の吸音材料を追加すること等によって増加できる。間仕切りは、１２５から４０００Ｈｚの間の一連の１６の異なる周波数でその伝送損失を測定することによってＳＴＣ定格を与えられる。ＳＴＣ定格は低周波数の音響転送を評価しない。扉、窓、壁、床等は、どれほど多くの騒音が通過するのかを決定するために試験される。
【０１２３】
用語「約」は、本明細書で、所与の値の回りで最高でプラス又はマイナス２０％までの相違を交換可能に指す。
【０１２４】
本発明の一実施形態によると、開放ボアを有するＭＲＩ機器に適した患者搬送インキュベータ（ＰＴＩ）は、患者を収容するための形状及びサイズによって適応された第１のセットの寸法を有する内部体積を含み、内部体積は、開放ボアの中に一時的に導入される形状及びサイズによって適応された第２のセットの寸法を有する外囲容器によってさらに覆われ、外囲容器の少なくとも一部分はＭＲＩ安全熱分離防音発泡体を含む。
【０１２５】
本発明の別の実施形態によると、包囲された内部体積を含み、外囲容器の少なくとも一部分が難燃性材料と一体化される、上記に定義されたＰＴＩが開示される。
【０１２６】
本発明の別の実施形態によると、外囲容器が少なくとも１つの開口部を含む、上記に定義されたＰＴＩが開示される。
【０１２７】
本発明の別の実施形態によると、少なくとも２つの接続パーツを含み、パーツが、蝶番、継手、フック、リンク、ブリッジ、クランプ、ボンド、ブラケット、留め金、ロック、スナップ、ブレース、グリップ、連結部、混交、ネジ切り等の手段によって接続される、上記に定義されたＰＴＩが開示される。
【０１２８】
本発明の別の実施形態によると、少なくとも１つの開放位置及び１つの閉鎖位置を有する外囲容器を含む、上記に定義されたＴＰＩが開示される。
【０１２９】
本発明の別の実施形態によると、開放位置が、固定位置に留まる外囲容器の別の部分に対して外囲容器の少なくとも一部を移動することによって得られる、上記に定義されたＰＴＩが開示される。この移動は、外囲容器のパーツを完全に分離する、又は外囲容器の少なくとも一部分で接続されたままにすることができる。
【０１３０】
本発明の別の実施形態によると、外囲容器のパーツ間の接続が、温度、湿度、音、振動、Ｏ２濃度、ＣＯ２濃度、及びその任意の組合せから成るグループから選択された外部条件から外囲容器の内部体積を隔離するための場所、材料、及び形状によって定義される、上記に定義されたＰＴＩが開示される。
【０１３１】
本発明の別の実施形態によると、外囲容器が、実質的にシリンダ付き、球形、矩形、多角形、多形、対称、非対称、凹状、人間工学的等の複数の形状の内の少なくとも１つで形成される、上記に定義されたＰＴＩが開示される。
【０１３２】
本発明の別の実施形態によると、以下、つまり（ａ）開口部が、開口部を通過する音を弱めるように構成された少なくとも１つの音響減衰手段をさらに含む、（ｂ）開口部が、管、生命維持、監視、検知、温度維持、換気、及びその任意の組合せから成るグループから選択された装置の通過のためのサイズ及び形状によって適応される、並びに（ｃ）開口部が、取扱者の手の通過を可能にするためのサイズ及び形状によって適応される、の内の少なくとも１つが当てはまる、上記に定義されたＰＴＩが開示される。
【０１３３】
本発明の別の実施形態によると、防音材料をさらに含む、上記に定義されたＰＴＩが開示される。
【０１３４】
本発明の別の実施形態によると、外囲容器を含み、外囲容器が患者を収容するための少なくとも１つの開放位置、及び内部体積の中に患者を少なくとも部分的に制限するように構成された少なくとも１つの閉鎖位置のために構成される、上記に定義されたＰＴＩが開示される。
【０１３５】
本発明の別の実施形態によると、外囲容器が、医学的必要性により定義される特有の所定の患者の身体の位置に適合するためのサイズ及び形状によって定義される、上記に定義されたＰＴＩが開示される。
【０１３６】
本発明の別の実施形態によると、機構がＭＲＩボアに患者搬送インキュベータを取り付け、取付け機構が、ベルト締め、ネジ留め、たたき出し、嵌合、摺動、トラッキング、係止、ロック、接合、固着、埋込み、混交、クランピング、結合、ロック、植付け、取付け、リンク、接着、スタンピング、被覆、層化、接続、相互接続、フッキング、挿入、巻込み等によって動作する、上記に定義されたＰＴＩが開示される。さらに、この取付けは、患者搬送インキュベータが取り付けられていたところから患者搬送インキュベータの高速抽出を可能にする高速解放機構である。さらに、この取付け機構は一方の側でインキュベータに、他方の側で、ＭＲＤ自体又はＭＲＤ開放ボア内の他の物体もしくは例えば患者支持テーブル、トロリー、ボード、ガーニー、土台等に取り付けられる。この機構は、インキュベータの転倒及び落下を防ぐ。
【０１３７】
本発明の別の実施形態によると、外囲容器が、内部体積の中の患者への迅速な接近を可能にする簡易脱着機構を含む、上記に定義されたＰＴＩが開示される。
【０１３８】
本発明の別の実施形態によると、少なくとも部分的に透明な材料の少なくとも一部分を含み、透明な材料が患者の少なくとも一部を視覚的に観察できるようにする、上記に定義されたＰＴＩが開示される。
【０１３９】
本発明の別の実施形態によると、以下、つまり（ａ）外囲容器が、ＭＲＩボアとの接触から患者の組織を分離する、（ｂ）外囲容器形状が、患者の人間工学的形状、非人間工学的形状、患者移動制限形状、及びその任意の組合せから成るグループから選択される、並びに（ｃ）外囲容器が、身体が導電ループを形成しないように患者の身体の配置を可能にするためのサイズ及び形状によって定められる、の内の少なくとも１つが当てはまる、上記に定義されたＰＴＩが開示される。
【０１４０】
本発明の別の実施形態によると、温度、湿度、Ｏ２濃度、ＣＯ２濃度、Ｏ２濃度、音響レベル、可聴周波数、音方向、音響振幅、音調、音速、振動、移動、ドリフト、光、ＰＴＩ構成、ＰＴＩ構造的完全性、ＰＴＩロック構成、及びその任意の組合せから成るグループから選択された少なくとも１つのパラメータを検知するように構成された少なくとも１つのセンサを含む、上記に定義されたＰＴＩが開示される。
【０１４１】
本発明の別の実施形態によると、検知装置を含み、装置がＰＴＩの少なくとも一部分に接続され、埋め込まれ、一体化され、層化され、相互接続され、取り付けられ、配置され、混交され、付着され、植え付けられ、入れ子にされる等、上記に定義されたＰＴＩが開示される。
【０１４２】
本発明の別の実施形態によると、検知装置を含み、少なくとも１つのインジケータをさらに含み、装置が少なくとも１つのインジケータにデータを送信することによって少なくとも１つの信号に応答する、上記に定義されたＰＴＩが開示される。
【０１４３】
本発明の別の実施形態によると、例えば医療、電気、送信、照明、監視、加熱、換気、視聴等からの装置を含み、装置がＰＴＩに相互接続される、上記に定義されたＰＴＩが開示される。
【０１４４】
本発明の別の実施形態によると、開示された装置がＰＴＩの単一の場所又は複数の場所に位置する、上記に定義されたＰＴＩが開示される。
【０１４５】
本発明の別の実施形態によると、インジケータが、可聴インジケータ、視覚インジケータ、感知インジケータ、及びその任意の組合せから成るグループから選択される、上記に定義されたＰＴＩが開示される。
【０１４６】
本発明の別の実施形態によると、警報システムを含み、警報システムがユーザインタフェースに相互接続される、上記に定義されたＰＴＩが開示される。
【０１４７】
本発明の別の実施形態によると、警報システムを含み、警報システムが所定の値に反応する、上記に定義されたＰＴＩが開示される。
【０１４８】
本発明の別の実施形態によると、警報インジケータを含み、警報インジケータが、可聴インジケータ、視覚インジケータ、感知インジケータ、及びその任意の組合せから選択される、上記に定義されたＰＴＩが開示される。
【０１４９】
本発明の別の実施形態によると、ＣＰＵを含み、ＣＰＵがユーザインタフェースに相互接続される、上記に定義されたＰＴＩが開示される。
【０１５０】
本発明の別の実施形態によると、ＣＰＵが検知装置、医療機器、電源、及びその任意の組合せに相互接続される、上記に定義されたＰＴＩが開示される。
【０１５１】
本発明の別の実施形態によると、検知装置及び電気設備からの派生的データが、医療、監視、ＣＰＵ、ユーザインタフェース、制御ユニット、インジケータ、及びその任意の組合せから成るグループから選択された他の機器に転送可能である、上記に定義されたＰＴＩが開示される。
【０１５２】
本発明の別の実施形態によると、ＣＰＵが、開示された装置から受信されたデータを受信、解析、転送、及びその任意の組合せを行う、上記に定義されたＰＴＩが開示される。
【０１５３】
本発明の別の実施形態によると、派生的データが、導線、光ファイバ、無線通信チャネル、及びその任意の組合せから成るグループから選択された方法で転送可能である、上記に定義されたＰＴＩが開示される。
【０１５４】
本発明の別の実施形態によると、温度調節ベントを含み、このベントが２０１３年１０月２２日付けで、その全体として本明細書に組み込まれる米国特許第６１／８９３９５９号に指定される、上記に定義されたＰＴＩが開示される。
【０１５５】
本発明の別の実施形態によると、少なくとも１つのユーザインタフェースを含み、少なくとも１つのユーザインタフェースがインキュベータの定められた領域に位置し、これによりＰＴＩがＭＲＤの開放ボア内にあるときにユーザインタフェースが利用しやすい、上記に定義されたＰＴＩが開示される。
【０１５６】
本発明の別の実施形態によると、外囲容器を含み、外囲容器が、温度調節ベントモジュール、通気モジュール、ユーザインタフェースモジュール、制御ユニットモジュール、少なくとも１つの生命維持システムモジュール、監視モジュール、センサモジュール、及びその任意の組合せから成るグループから選択された少なくとも１つの可逆的に接続可能なモジュールを収容するように構成される、上記に定義されたＰＴＩが開示される。
【０１５７】
本発明の別の実施形態によると、少なくとも１つの可逆的に接続可能なモジュールが、上部、底部、側部、後部、前部、及びその任意の組合せから成るグループから選択された、外囲容器に対する場所で接続可能である、上記に定義されたＰＴＩが開示される。
【０１５８】
本発明の別の実施形態によると、ＰＴＩが、音響レベル、トーン、倍音構成、残響、可聴周波数、音波波長、音波振幅、音波速度、音波方向、音波エネルギー、音波位相、音波形状、音波エンベロープ、音の音質、及びその任意の組合せから成るグループから選択された所定の音響特性で、内部体積の中で騒音を低減するように構成される、上記に定義されたＰＴＩが開示される。
【０１５９】
本発明の別の実施形態によると、ＰＴＩは、音響レベル低減、音響反射低減、音残響低減、音波拡散、改変されたサウンドシグネチャ、及びその任意の組合せから成るグループから選択された少なくとも１つによって騒音を低減するように構成される、上記に定義されたＰＴＩが開示される。
【０１６０】
ＰＴＩが、音響レベル、トーン、倍音構成、残響、可聴周波数、音波波長、音波振幅、音波速度、音波方向、音波エネルギー、音波位相、音波形状、音波エンベロープ、音の音質、及びその任意の組合せから成るグループから選択された、環境から内部体積に到達する少なくとも１つの音響特性を変更し、それによって少なくとも１つのサウンドシグネチャを生成するように構成される、請求項１に記載のＰＴＩ。
【０１６１】
本発明の別の実施形態によると、外囲容器が、少なくとも１つの吸収面、少なくとも１つの音響ディフューザ、少なくとも１つの音響バッフル、少なくとも１つの反射面、少なくとも１つの共鳴器、少なくとも１つの音響シールド、患者の少なくとも一部分から離れる方に向かう場所、及びその任意の組合せから成るグループから選択されるものに騒音を向けるように構成された少なくとも１つの音響反射板を含む、上記に定義されたＰＴＩが開示される。
【０１６２】
本発明の別の実施形態によると、サウンドシグネチャは、ユーザによって設定可能、所定、新生児の寿命パラメータに関して自動的に調整可能、及びその任意の組合せから成るグループから選択される、上記に定義されたＰＴＩが開示される。
【０１６３】
本発明の別の実施形態によると、外囲容器が、患者に届くサウンドシグネチャを変更するように構成された、吸音材料、共鳴器、音響シールド、低音トラップ、音響バッフル、ディフューザ、遮音パッド、音響反射板、音響弱音器、能動音響消去機器、及びその任意の組合せから成るグループから選択された少なくとも１つをさらに含む、上記に定義されたＰＴＩが開示される。
【０１６４】
本発明の別の実施形態によると、外囲容器が、少なくとも１つの密封材料、少なくとも１つの吸音材料、少なくとも１つの吸振材料、及びその任意の組合せから成るグループから選択された材料の少なくとも一部分を含む、上記に定義されたＰＴＩが開示される。
【０１６５】
本発明の別の実施形態によると、外囲容器の少なくとも一部分がｎ個の層を含み、さらにｎ個の層のそれぞれが内部体積に向かう内側、及び環境に向く反対の外側を含む、上記に定義されたＰＴＩが開示される。
【０１６６】
本発明の別の実施形態によると、ｎ個の層のそれぞれが、所定の騒音減少率（ＮＲＣ）値、音響伝送クラス（ＳＴＣ）値、又は両方を含み、さらにＮＲＣ値、ＳＴＣ値、又は両方がｎ個の層の内の１つのそれぞれに対して等しい又は異なることがある、上記に定義されたＰＴＩが開示される。
【０１６７】
本発明の別の実施形態によると、ｎ個の層がｎ個の層のそれぞれに騒音減少率（ＮＲＣ）値を含み、層のそれぞれが層外側で測定された少なくとも１つの音響レベルＳ１［ｄＢ］、及び層内側で測定された少なくとも１つの第１の音響レベルＳｎ［ｄＢ］を含み、ｄＳ１−．．．ｄＳｎを有し、ＰＴＩのｄＳがＳ１−Ｓｎに等しく、Ｓ１−Ｓｎ＜Ｓ１である、上記に定義されたＰＴＩが開示される。
【０１６８】
本発明の別の実施形態によると、ｎ個の層がｎ個の層のそれぞれに音響伝送クラス（ＳＴＣ）値を含み、層のそれぞれが層外側で測定された少なくとも１つの音響レベルＳ１［ｄＢ］、及び層内側で測定された少なくとも１つの第１の音響レベルＳｎ［ｄＢ］を含み、ｄＳ１−．．．ｄＳｎを有し、ＰＴＩのｄＳがＳ１−Ｓｎに等しく、Ｓ１−Ｓｎ＜Ｓ１である、上記に定義されたＰＴＩが開示される。
【０１６９】
本発明の別の実施形態によると、ＰＴＩが、（ａ）ｎ個の層の内の少なくとも２つの間の空間Ｓ１−ｎ、（ｂ）層１−ｎについて測定されたＳＴＣ１（音響伝送クラス）値、及び（ｃ）ｎ個の層の内の少なくとも１つに接続され、ｎ個の層の内の少なくとも１つを起動させるように構成され、空間Ｓ１−ｎ，ａ  ｉｓ及び層１−ｎについて測定されたＳＴＣ２値が提供されるようにｎ個の層の内の少なくとも２つの間に空間Ｓ１−ｎを有する可逆可動化手段をさらに含み、上式ではＳ１−ｎ＜Ｓ１ｎ，ａであり、ＳＴＣ１＜ＳＴＣ２である、上記に定義されたＰＴＩが開示される。
【０１７０】
本発明の別の実施形態によると、外囲容器が、吸音材料、音響バッフル、音響ディフューザ、音響共鳴器、音響シールド、及びその任意の組合せから成るグループから選択された少なくとも１つによって、内部体積の中で音の残響、音の反射、又は両方を低減するように構成される、上記に定義されたＰＴＩが開示される。
【０１７１】
本発明の別の実施形態によると、近位端及び反対の遠位端を備える主要な長手方向軸を有する細長い形状によって特徴付けられる、上記に定義されたＰＴＩが開示され、ＰＴＩは端部の内の少なくとも１つに温度調節ベント（ＴＲＶ）をさらに含み、ＴＲＶは実質的に軸に沿って端部から反対の端部に向かって空気を流すように適応され、軸に平行に患者を収容するためのサイズ及び形状によって構成され、さらにＴＲＶは少なくとも１つの第１の通気モジュール、少なくとも１つの第１の加熱／冷却モジュール、第１の通気モジュール又は第１の加熱／冷却モジュールのどちらかに隣接して位置する少なくとも１つのフィルタ、少なくとも１つの加湿モジュール、及びその任意の組合せから成るグループから選択されたモジュールである。
【０１７２】
本発明の別の実施形態によると、患者のＭＲＩの介護プロトコルの基準は、（ａ）患者搬送インキュベータ（ＰＴＩ）が第１のセットの寸法を有する内部体積を含み、内部体積が患者を収容するための形状及サイズによって適応され、内部体積が、開放ボアの中に一時的に導入される形状及びサイズによって適応された第２のセットの寸法を有する外囲容器によってさらに覆われる、開放ボアを有する磁気共鳴イメージング機器（ＭＲＤ）に適したＰＴＩを入手するステップと、外囲容器の少なくとも一部分がＭＲＩ安全熱分離防音発泡体を含むときに、（ｂ）コンパートメントをその環境から制限するステップと、（ｃ）包囲された内部体積の中に患者を配置するステップと、（ｄ）ＭＲＩ開放ボアの中にインキュベータを導入し、画像化するステップを含み、以下、つまり（ａ）ＰＴＩの内部で測定された音圧が６０ｄＢの最大レベルを超えず、ＰＴＩコンパートメントの内部体積の音響レベルが少なくとも１０ｄＢ、このコンパートメントの外部の音響レベルよりも低い、（ｂ）ＰＴＩの内部で測定された音圧が４５ｄＢの最大レベルを超えず、ＰＴＩコンパートメントの内部体積の音響レベルが少なくとも１０ｄＢ、このコンパートメントの外部の音響レベルよりも低い、（ｃ）ＭＲＩの間にＰＴＩを活用するときの患者の騒音により誘発されるストレスからの唾液コルチゾルレベル指数の平均値がＭＲＩの間の平均値よりもｎ倍低く、ｎが１．０５以上である、（ｄ）ＭＲＩの間にＰＴＩを活用するときの患者の毎分移動平均数が患者の毎分移動平均数よりもｍ倍低く、ｍが１．０５以上である、（ｅ）患者あたりのＭＲＩ反復数の平均数が、患者のＭＲＩの間のＭＲＩ反復平均数よりも、ＰＴＩ活用時にｐ倍低く、ｐが１．０５以上である、（ｆ）ＭＲＩの間にＰＴＩを活用するときの患者の開放空間に関係するストレスからの唾液コルチゾルレベル指数の平均値がＭＲＩの間の平均値よりもｑ倍低く、ｑが１．０５以上である、（ｇ）ＰＴＩの内部体積の温度が、３６℃の制御温度よりも最大２℃異なる、（ｈ）ＰＴＩの中のＯ２濃度が３０ｖｏｌ．％を下回らず、４０ｖｏｌ．％を超えない、（ｉ）ＰＴＩの中のＣＯ２濃度が４％を超えない、（ｊ）ＰＴＩの中のマットレス上の空気速度が０．３５ｍ／ｓを超えない、（ｋ）ＰＴＩの内部体積の平均湿度レベルが、最高で８５％のレベルで医療個人によって医療上予め定められたＭＲＩの間維持される、（ｌ）最高で２００ｍｌの漏れが発生しＰＴＩのコンパートメントに付着時に、ＰＴＩが安全に使用され続ける、（ｍ）ＰＴＩが、通常使用時に１０°傾けられるとき、及び輸送中に２０°傾けられるとき、安定したままとなる、（ｏ）力が１００Ｎ以下であるとき、ＰＴＩが転倒しない、（ｐ）ＰＴＩを活用するときの患者のＭＲＩ関係の落下事故の平均数が患者のＭＲＩ関係の落下事故の平均よりもｒ倍低く、ｒが１．０５以上である、（ｑ）ＰＴＩ活用時のＭＲＩに関連付けられる患者の感染平均数が、ＭＲＩに関連付けられる患者の感染平均数よりもｓ倍低く、ｓが１．０５以上である、（ｒ）ＰＴＩ活用時のＭＲＩ関連の患者の健康合併症の平均数が患者のＭＲＩ関連の健康合併症の平均数よりもｔ倍低く、ｔが１．０５以上である、（ｓ）電気設備シ��テムを含むＰＴＩの内部体積での放射電磁界が、ＥＭＣ（電磁両立性）のための副通則の周波数範囲の場合、最高で３Ｖ／ｍのレベルとなり、さらに電気設備が製造メーカによって指定されたようにその意図された機能を実行する、又はＥＭＣのための副通則の周波数範囲の場合、最高で１０Ｖ／ｍのレベルで安全性に対する危害を生じさせることなく機能しなくなる、及び（ｔ）ＭＲＤと関連する過剰加温事故及び火傷事故の平均数が、ＰＴＩ活用時にｕ倍低く、ｕが１．０５以上であること、の内の少なくとも１つが当てはまる。
【０１７３】
本発明の別の実施形態によると、患者の磁気共鳴イメージングの方法は、（ａ）患者搬送インキュベータ（ＰＴＩ）は、患者を収容するための形状及びサイズによって適応された第１のセットの寸法を有する内部体積を含み、内部体積が開放ボアの中に一時的に導入される形状及びサイズによって適応された第２のセットの寸法を有する外囲容器によってさらに覆われ、外囲容器の少なくとも一部分がＭＲＩ安全熱分離防音発泡体を含む、開放ボアを有するＭＲＩ機器に適したＰＴＩを入手するステップと、（ｂ）包囲された内部体積の中に患者を配置するステップと、（ｃ）ＭＲＩ開放ボアの中にＰＴＩを導入し、画像化することを含む。
【０１７４】
本発明の別の実施形態によると、難燃性材料の少なくとも一部分をさらに含む外囲容器を入手するステップをさらに含む、上記に定義された方法が開示される。
【０１７５】
本発明の別の実施形態によると、患者に適合するためのサイズ及び形状の手段で変化する選択されたグループから選択される内部体積外囲容器を入手するステップをさらに含む、上記に定義された方法が開示される。
【０１７６】
本発明の別の実施形態によると、少なくとも１つの開口部をさらに含む外囲容器を入手するステップをさらに含む、上記に定義された方法が開示される。
【０１７７】
本発明の別の実施形態によると、以下のステップ、つまり（ａ）開口部が開口部を通過する音を弱めるように構成された少なくとも１つの音響減衰手段をさらに含む外囲容器を入手し、少なくとも部分的に音を弱めるステップと、（ｂ）開口部が、管、生命維持、監視、検知、温度維持、換気、及びその任意組合せから成るグループから選択された装置の通過のためのサイズ及び形状によって適応される外囲容器を入手し、環境から内部体積に装置の少なくとも一部分を渡すステップと、（ｃ）開口部が、取扱者の手の通過を可能にするためのサイズ及び形状によって適応される外囲容器を入手し、取扱者の手に可逆的に開口部を通過させるステップ、の内の少なくとも１つをさらに含む、上記に定義された方法が開示される。
【０１７８】
本発明の別の実施形態によると、患者を収容するための少なくとも１つの開放位置、及び内部体積の中に患者を少なくとも部分的に制限するための少なくとも１つの閉鎖位置を提供し、患者を収容する、又は制限するように外囲容器を構成するステップをさらに含む、上記に定義された方法が開示される。
【０１７９】
本発明の別の実施形態によると、外囲容器の構成された閉鎖位置を確保するステップをさらに含む、上記に定義された方法が開示される。
【０１８０】
本発明の別の実施形態によると、内部体積の中の患者への迅速な接近を可能にする簡易脱着機構をさらに含む外囲容器を入手し、簡易脱着機構を操作するステップをさらに含む、上記に定義された方法が開示される。
【０１８１】
本発明の別の実施形態によると、少なくとも部分的に透明な材料の少なくとも一部分をさらに含む外囲容器を入手し、透明な材料が患者の少なくとも一部を視覚的に観察できるようにし、患者を見るステップをさらに含む、上記に定義された方法が開示される。
【０１８２】
本発明の別の実施形態によると、以下のステップ、つまり（ａ）患者の組織をＭＲＤボアとの接触から分離するようにさらに構成された外囲容器を入手するステップと、（ｂ）患者の人間工学的形状、非人間工学的形状、患者移動制限形状、及びその任意の組合せから成るグループから選択された内部体積に向く形状をさらに含む外囲容器を入手するステップと、（ｃ）身体が導電ループを形成しないように患者の身体の配置を可能にするためのサイズ及び形状によってさらに定められた外囲容器を入手するステップをさらに含む、上記に定義された方法が開示される。
【０１８３】
本発明の別の実施形態によると、患者を収容し、患者の移動を制限するためのサイズ及び形状の寸法によるコンパートメント適合で患者を配置するステップをさらに含む、上記に定義された方法が開示される。
【０１８４】
本発明の別の実施形態によると、温度、湿度、Ｏ２濃度、ＣＯ２濃度、Ｏ２濃度、音響レベル、可聴周波数、音方向、音響振幅、音調、音速、振動、移動、ドリフト、光、ＰＴＩ構成、ＰＴＩ構造的完全性、ＰＴＩロック構成、及びその任意の組合せから成るグループから選択された少なくとも１つのパラメータを検知するように構成された少なくとも１つのセンサをさらに含む外囲容器を入手し、センサによって検知するステップをさらに含む、上記に定義された方法が開示される。
【０１８５】
本発明の別の実施形態によると、ユーザインタフェースから入力を受け取り、患者の監視を可能にするステップをさらに含む、上記に定義された方法が開示される。
【０１８６】
本発明の別の実施形態によると、インキュベータに医療機器を結合するステップをさらに含む、上記に定義された方法が開示される。
【０１８７】
本発明の別の実施形態によると、温度調節ベントモジュール、通気モジュール、ユーザインタフェースモジュール、制御ユニットモジュール、少なくとも１つの生命維持システムモジュール、監視モジュール、センサモジュール、及びその任意の組合せから成るグループから選択された少なくとも１つの可逆的に接続可能なモジュールを収容するようにさらに構成された外囲容器を入手し、少なくとも１つの補助モジュールを可逆的に接続するステップをさらに含む、上記に定義された方法が開示される。
【０１８８】
本発明の別の実施形態によると、上部、底部、側部、後部、前部、及びその任意の組合せから成るグループから選択された、外囲容器に対する場所で、少なくとも１つの可逆的に接続可能なモジュールを接続するステップをさらに含む、上記に定義された方法が開示される。
【０１８９】
本発明の別の実施形態によると、ＭＲＤ内側ボアの定められた患者場所にインキュベータを固定するステップをさらに含む、上記に定義された方法が開示される。
【０１９０】
本発明の別の実施形態によると、使用の終わりに続き、インキュベータの少なくとも一部を破棄するステップをさらに含む、上記に定義された方法が開示される。
【０１９１】
本発明の別の実施形態によると、音響レベル、トーン、倍音構成、残響、可聴周波数、音波波長、音波振幅、音波速度、音波方向、音波エネルギー、音波位相、音波形状、音波エンベロープ、音の音質、及びその任意の組合せから成るグループから選択された所定の音響特性で、内部体積の中で騒音を低減するようにＰＴＩを構成するステップをさらに含む、上記に定義された方法が開示される。
【０１９２】
本発明の別の実施形態によると、音響レベル低減、音響反射低減、音残響低減、音波拡散、改変されたサウンドシグネチャ、及びその任意の組合せから成るグループから選択された少なくとも１つによって内部体積の中で騒音を低減するステップをさらに含む、上記に定義された方法が開示される。
【０１９３】
本発明の別の実施形態によると、音響レベル、トーン、倍音構成、残響、可聴周波数、音波波長、音波振幅、音波速度、音波方向、音波エネルギー、音波位相、音波形状、音波エンベロープ、音の音質、及びその任意の組合せから成るグループから選択された、環境から内部体積に到達する少なくとも１つの音響特性を変更し、それによって少なくとも１つのサウンドシグネチャを生成するステップをさらに含む、上記に定義された方法が開示される。
【０１９４】
本発明の別の実施形態によると、ユーザによって設定可能、所定、新生児の寿命パラメータに関して自動的に調整可能、及びその任意の組合せから成るグループからサウンドシグネチャを選択するステップをさらに含む、上記に定義された方法が開示される。
【０１９５】
本発明の別の実施形態によると、患者に届くサウンドシグネチャを変更するように構成された、吸音材料、共鳴器、音響シールド、低音トラップ、音響バッフル、ディフューザ、遮音パッド、音響反射板、音響弱音器、能動音響消去機器、及びその任意の組合せから成るグループから選択された少なくとも１つをさらに含む外囲容器を入手するステップをさらに含む、上記に定義された方法が開示される。
【０１９６】
本発明の別の実施形態によると、少なくとも１つの密封材料、少なくとも１つの吸音材料、少なくとも１つの吸振材料、及びその任意の組合せから成るグループから選択された材料の少なくとも一部分をさらに含む外囲容器を入手するステップをさらに含む、上記に定義された方法が開示される。
【０１９７】
本発明の別の実施形態によると、少なくとも一部分がｎ個の層を含み、さらにｎ個の層のそれぞれが内部体積に向かう内側、及び環境に向く反対の外側を含む外囲容器を入手するステップをさらに含む、上記に定義された方法が開示される。
【０１９８】
本発明の別の実施形態によると、ｎ個の層を含む外囲容器を入手し、ｎ個の層のそれぞれが所定の騒音減少率（ＮＲＣ）値、音響伝送クラス（ＳＴＣ）値、又は両方を含み、さらにｎ個の層の１つのそれぞれに等しい又は異なったＮＲＣ値、ＳＴＣ値、又は両方を含む層をそれぞれ選択するステップをさらに含む、上記に定義された方法が開示される。
【０１９９】
本発明の別の実施形態によると、ｎ個の層のそれぞれに騒音減少率（ＮＲＣ）値をさらに含むｎ個の層を含む外囲容器を入手するステップをさらに含み、層のそれぞれが層外側で測定された少なくとも１つの音響レベルＳ１［ｄＢ］、及び層内側で測定された少なくとも１つの第１の音響レベルＳｎ［ｄＢ］を含み、ｄＳ１−．．．ｄＳｎを有し、ＰＴＩのｄＳがＳ１−Ｓｎに等しく、Ｓ１−Ｓｎ＜Ｓ１である、上記に定義された方法が開示される。
【０２００】
本発明の別の実施形態によると、ｎ個の層のそれぞれに音響伝送クラス（ＳＴＣ）値をさらに含むｎ個の層を含む外囲容器を入手するステップをさらに含み、層のそれぞれが層外側で測定された少なくとも１つの音響レベルＳ１［ｄＢ］、及び層内側で測定された少なくとも１つの第１の音響レベルＳｎ［ｄＢ］を含み、ｄＳ１−．．．ｄＳｎを有し、ＰＴＩのｄＳがＳ１−Ｓｎに等しく、Ｓ１−Ｓｎ＜Ｓ１である、上記に定義された方法が開示される。
【０２０１】
本発明の別の実施形態によると、（ａ）ｎ個の層の内の少なくとも２つの間の空間Ｓ１−ｎ、（ｂ）層１−ｎについて測定されたＳＴＣ１（音響伝送クラス）値、及び（ｃ）ｎ個の層の内の少なくとも１つに接続され、ｎ個の層の内の少なくとも１つを起動させるように構成され、空間Ｓ１−．ｎ，ａ  ｉｓ及び層１−ｎについて測定されたＳＴＣ２値が提供されるようにｎ個の層の内の少なくとも２つの間に空間Ｓ１−ｎを有し、上式ではＳ１−ｎ＜Ｓ１ｎ，ａであり、ＳＴＣ１＜ＳＴＣ２である、可逆可動化手段をさらに含む外囲容器を入手し、少なくとも１つの層を可逆的に起動させるステップをさらに含む、上記に定義された方法が開示される。
【０２０２】
本発明の別の実施形態によると、吸音材料、音響バッフル、音響ディフューザ、音響共鳴器、音響シールド、及びその任意の組合せから成るグループから選択された少なくとも１つを活用することによって、内部体積の中で音の残響、音の反射、又は両方を低減するようにさらに構成される外囲容器を入手するステップをさらに含む、上記に定義された方法が開示される。
【０２０３】
本発明の別の実施形態によると、以下のステップ、つまり（ａ）近位端及び反対の遠位端を備える主要な長手方向軸を有する細長い形状によってさらに特徴付けられ、ＰＴＩは端部の内の少なくとも１つに温度調節ベント（ＴＲＶ）をさらに含み、ＴＲＶは実質的に軸に沿って端部から反対の端部に向かって空気を流すように適応され、軸に平行に患者を収容するためのサイズ及び形状によって構成される、外囲容器を入手するステップと、（ｂ）少なくとも１つの第１の通気モジュール、少なくとも１つの第１の加熱／冷却モジュール、第１の通気モジュール又は第１の加熱／冷却モジュールのどちらかに隣接して位置する少なくとも１つのフィルタ、少なくとも１つの加湿モジュール、及びその任意の組合せから成るグループからＴＲＶを選択するステップと、（ｃ）ＴＲＶを操作し、それによって以下、つまり内部体積の中の空気の通気、加熱、冷却、濾過、加湿の内の少なくとも１つを実行するステップをさらに含む、上記に定義された方法が開示される。
【０２０４】
本発明の別の実施形態によると、開放ボアを有するＭＲＩ機器に適した患者搬送インキュベータ（ＰＴＩ）を製造する方法、ＰＴＩは患者を収容するための形状及びサイズによって適応された第１のセットの寸法を有する内部体積を含み、内部体積は、開放ボアの中に一時的に導入される形状及びサイズによって適応された第２のセットの寸法を有する外囲容器によってさらに覆われ、外囲容器の少なくとも一部分はＭＲＩ安全熱分離防音発泡体を含み、（ａ）患者を収容するための内部体積の寸法を定めるステップと、（ｂ）ＭＲＩ開放ボアの中に一時的に導入される外囲容器の形状及びサイズによって適応された寸法を定めるステップと、（ｃ）内部体積をその環境から分離する外囲容器を形成するステップを含み、外囲容器の少なくとも一部分は内部体積をその環境から分離するＭＲＩ安全熱分離防音発泡体を含む。
【０２０５】
本発明の別の実施形態によると、発泡体の少なくとも一部分を難燃性材料と統合するステップをさらに含む、上記に定義された方法が開示される。
【０２０６】
本発明の別の実施形態によると、内部体積をその環境から分離する、外囲容器を形成するために少なくとも２つの部分を接続するステップをさらに含む、上記に定義された方法が開示される。
【０２０７】
本発明の別の実施形態によると、外囲容器の少なくとも一部分を多層構造で形成するステップをさらに含む、上記に定義された方法が開示される。
【０２０８】
本発明の別の実施形態によると、多様な大きさ及び形の患者を収容するために内部体積に複数の寸法を定めるステップをさらに含む、上記に定義された方法が開示される。
【０２０９】
本発明の別の実施形態によると、人間工学的な患者の空間を生じさせる形状で外囲容器の少なくとも一部分を形成する、患者を収容するための内部体積の寸法を定めるステップをさらに含む、上記に定義された方法が開示される。
【０２１０】
本発明の別の実施形態によると、取扱者にとって人間工学的となるように適応される外囲容器のパーツの寸法を定めるステップをさらに含む、上記に定義された方法が開示される。
【０２１１】
本発明の別の実施形態によると、患者の組織をＭＲＤボアとの接触から分離するためのサイズ及び形状によって適応される外囲容器の寸法を定めるステップをさらに含む、上記に定義された方法が開示される。
【０２１２】
本発明の別の実施形態によると、患者の身体が導電ループを形成しないように患者の身体を配置するためのサイズ及び形状によって適応される外囲容器の寸法を定めるステップをさらに含む、上記に定義された方法が開示される。
【０２１３】
本発明の別の実施形態によると、開放成形、閉鎖成形射出、真空形成、押出し、拡大、鋳造、引き伸ばし、シートアセンブル、発砲、合成、及びその任意の組合せから成るグループから選択された手段によって外囲容器発泡体の少なくとも一部分を形成するステップをさらに含む、上記に定義された方法が開示される。
【０２１４】
本発明の別の実施形態によると、清掃、滅菌、平滑化、テクスチャ追加、着色、被覆、型分類、接着、穿孔、たたき出し、噴霧、浸漬、及びその任意の組合せから成るグループから選択された表面改質によって外囲容器の少なくとも一部分をさらに形成するステップをさらに含む、上記に定義された方法が開示される。
【０２１５】
本発明の別の実施形態によると、インキュベータで少なくとも１つの開口部を生じさせるステップをさらに含む、上記に定義された方法が開示される。
【０２１６】
本発明の別の実施形態によると、医療、電気、データ転送、検知、換気、加熱、視聴、監視、及びその任意の組合せのグループから選択される装置の通過を可能にするためのサイズ及び形状の寸法による空間適合を生じさせるステップをさらに含む、上記に定義された方法が開示される。
【０２１７】
本発明の別の実施形態によると、温度、湿度、音、振動、Ｏ２濃度、ＣＯ２濃度、及びその任意の組合せから成るグループから選択された外部条件から外囲容器の内部体積を隔離するための場所、材料、形状、及びサイズによって、外囲容器間の接続領域を画定するステップをさらに含む、定義される上記に定義された方法が開示される。
【０２１８】
本発明の別の実施形態によると、少なくとも１つの開口部を含む外囲容器を形成するステップをさらに含む、上記に定義された方法が開示される。
【０２１９】
本発明の別の実施形態によると、以下の内の少なくとも１つが当てはまる、（ａ）開口部を通過する音を弱めるように構成された少なくとも１つの音響減衰手段を取り付けるステップと、（ｂ）管、生命維持、監視、検知、温度維持、換気、及びその任意の組合せから成るグループから選択された装置の通過のためのサイズ及び形状によって開口部を適応するステップと、（ｃ）取扱者の手の通過を可能にするためのサイズ及び形状によって開口部を構成するステップをさらに含む、上記に定義された方法が開示される。
【０２２０】
本発明の別の実施形態によると、ＭＲＩと互換性のある新生児の寝台を収容するための少なくとも１つの開放位置、及び内部体積の中にＭＲＩと互換性のある新生児の寝台を少なくとも部分的に制限するための少なくとも１つの閉鎖位置のために外囲容器を構成するステップをさらに含む、上記に定義された方法が開示される。
【０２２１】
本発明の別の実施形態によると、簡易脱着機構を統合し、内部体積の中の患者への迅速な接近を可能にするステップをさらに含む、上記に定義された方法が開示される。
【０２２２】
本発明の別の実施形態によると、簡易脱着機構を統合し、ＭＲＤ開放ボアからのインキュベータの迅速な解放を可能にするステップをさらに含む、上記に定義された方法が開示される。
【０２２３】
本発明の別の実施形態によると、少なくとも部分的に透明な材料を含む外囲容器の少なくとも一部分を形成し、それによって患者の少なくとも一部を視覚的に観察できるようにする、上記に定義された方法が開示される。
【０２２４】
本発明の別の実施形態によると、以下の内の少なくとも１つが当てはまる、（ａ）ＭＲＤボアとの接触から患者組織を分離するように構成された外囲容器を形成するステップと、（ｂ）患者の人間工学的形状、非人間工学的形状、患者移動制限形状、及びその任意の組合せから成るグループから外囲容器内部体積に向く形状を選択するステップと、（ｃ）身体が導電ループを形成しないように患者の身体の配置を可能にするためのサイズ及び形状によって外囲容器を定めるステップをさらに含む、上記に定義された方法が開示される。
【０２２５】
本発明の別の実施形態によると、外囲容器に少なくとも１つのセンサを取り付け、温度、湿度、Ｏ２濃度、ＣＯ２濃度、Ｏ２濃度、音響レベル、可聴周波数、音方向、音響振幅、音調、音速、振動、移動、ドリフト、光、ＰＴＩ構成、ＰＴＩ構造的完全性、ＰＴＩロック構成、及びその任意の組合せから成るグループから選択された少なくとも１つのパラメータを検知するようにセンサを構成するステップをさらに含む、上記に定義された方法が開示される。
【０２２６】
本発明の別の実施形態によると、温度調節ベントモジュール、通気モジュール、ユーザインタフェースモジュール、制御ユニットモジュール、少なくとも１つの生命維持システムモジュール、監視モジュール、センサモジュール、及びその任意の組合せから成るグループから選択された少なくとも１つの可逆的に接続可能なモジュールを収容するように外囲容器を構成するステップをさらに含む、上記に定義された方法が開示される。
【０２２７】
本発明の別の実施形態によると、ユーザインタフェースの別個のモジュールを構築するステップをさらに含む、上記に定義された方法が開示される。
【０２２８】
本発明の別の実施形態によると、インキュベータにユーザインタフェースを相互接続するステップをさらに含む、上記に定義された方法が開示される。
【０２２９】
本発明の別の実施形態によると、温度、湿度、ガス濃度、音響レベル、振動、ドリフト、光、呼吸、心臓機能、血中酸素、神経学的活動、電気、無線周波数、データ転送、インキュベータ外囲容器の開放状態又は閉鎖状態、インキュベータの構造的完全性、相互接続されたパーツの構造的完全性、インキュベータの一般的な機能、及びその任意の組合せから成る選択されたグループから検知装置をインキュベータに接続するステップをさらに含む、上記に定義された方法が開示される。
【０２３０】
本発明の別の実施形態によると、医療機器、検知装置、電気設備、監視装置、制御ユニット、ＣＰＵ、音声インジケータ、視覚インジケータ、検知インジケータ、警報システム、電源、及びその任意の組合せから成るグループから選択された品目にユーザインタフェースを接続するステップをさらに含む、上記に定義された方法が開示される。
【０２３１】
本発明の別の実施形態によると、上部、底部、側部、後部、前部、及びその任意の組合せから成るグループから選択された、外囲容器に対する場所で少なくとも１つの可逆的な接続を生じさせるステップをさらに含む、上記に定義された方法が開示される。
【０２３２】
本発明の別の実施形態によると、所定の音響特性で内部体積の中の騒音を低減するようにＰＴＩを構成し、音響レベル、トーン、倍音構成、残響、可聴周波数、音波波長、音波振幅、音波速度、音波方向、音波エネルギー、音波位相、音波形状、音波エンベロープ、音の音質、及びその任意の組合せから成るグループから音響特性を選択するステップをさらに含む、上記に定義された方法が開示される。
【０２３３】
本発明の別の実施形態によると、音響レベル低減、音響反射低減、音残響低減、音波拡散、改変されたサウンドシグネチャ、及びその任意の組合せから成るグループから、低減される少なくとも１つの騒音パラメータを選択するステップをさらに含む、上記に定義された方法が開示される。
【０２３４】
本発明の別の実施形態によると、音響レベル、トーン、倍音構成、残響、可聴周波数、音波波長、音波振幅、音波速度、音波方向、音波エネルギー、音波位相、音波形状、音波エンベロープ、音の音質、及びその任意の組合せから成るグループから、環境から内部体積に到達する少なくとも１つの音響特性を選択し、それによってＰＴＩによって変更される少なくとも１つのサウンドシグネチャを生成するステップをさらに含む、上記に定義された方法が開示される。
【０２３５】
本発明の別の実施形態によると、ユーザによって設定可能、所定、患者の寿命パラメータに関して自動的に調整可能、及びその任意の組合せから成るグループからサウンドシグネチャを選択するステップをさらに含む、上記に定義された方法が開示される。
【０２３６】
本発明の別の実施形態によると、患者に届くサウンドシグネチャを変更するように構成された、吸音材料、共鳴器、音響シールド、低音トラップ、音響バッフル、ディフューザ、遮音パッド、音響反射板、音響弱音器、及びその任意の組合せから成るグループから選択された少なくとも１つの手段を含むステップをさらに含む、上記に定義された方法が開示される。
【０２３７】
本発明の別の実施形態によると、少なくとも１つの密封材料、少なくとも１つの吸音材料、少なくとも１つの吸振材料、及びその任意の組合せから成るグループから選択された材料の外囲容器の少なくとも一部分を形成するステップをさらに含む、上記に定義された方法が開示される。
【０２３８】
本発明の別の実施形態によると、ｎ個の層を含む外囲容器の少なくとも一部分を形成するステップをさらに含み、さらにｎ個の層のそれぞれが内部体積に向かう内側、及び環境に向く反対の外側を含む、上記に定義された方法が開示される。
【０２３９】
本発明の別の実施形態によると、所定の騒音減少率（ＮＲＣ）値、音響伝送クラス（ＳＴＣ）値、又は両方を含むｎ個の層のそれぞれを形成するステップをさらに含み、さらにＮＲＣ値、ＳＴＣ値、又は両方がｎ個の層の内の１つのそれぞれに対して等しい又は異なることがある、上記に定義された方法が開示される。
【０２４０】
本発明の別の実施形態によると、ｎ個の層のそれぞれの騒音減少率（ＮＲＣ）値を含むｎ個の層を形成するステップをさらに含み、層のそれぞれが層外側で測定された少なくとも１つの音響レベルＳ１［ｄＢ］、及び層内側で測定された少なくとも１つの第１の音響レベルＳｎ［ｄＢ］を含み、ｄＳ１−．．．ｄＳｎを有し、ＰＴＩのｄＳがＳ１−Ｓｎに等しく、Ｓ１−Ｓｎ＜Ｓ１である、上記に定義された方法が開示される。
【０２４１】
本発明の別の実施形態によると、ｎ個の層のそれぞれの音響伝送クラス（ＳＴＣ）値を含むｎ個の層を形成するステップをさらに含み、層のそれぞれが層外側で測定された少なくとも１つの音響レベルＳ１［ｄＢ］、及び層内側で測定された少なくとも１つの第１の音響レベルＳｎ［ｄＢ］を含み、ｄＳ１−．．．ｄＳｎを有し、ＰＴＩのｄＳがＳ１−Ｓｎに等しく、Ｓ１−Ｓｎ＜Ｓ１である、上記に定義された方法が開示される。
【０２４２】
本発明の別の実施形態によると、以下のステップ、つまり（ａ）ｎ個の層の内の少なくとも２つの間の空間Ｓ１−ｎをさらに含む外囲容器を形成するステップと、（ｂ）層１−ｎについて測定された少なくとも１つのＳＴＣ１（音響伝送クラス）値を構成するステップと、（ｃ）ｎ個の層の内の少なくとも１つに接続され、ｎ個の層の内の少なくとも１つを起動させるように構成され、空間Ｓ１−ｎ，ａ  ｉｓ及び層１−ｎについて測定されたＳＴＣ２値が提供されるようにｎ個の層の内の少なくとも２つの間に空間Ｓ１−ｎを有する可逆可動化手段を接続するステップをさらに含み、上式ではＳ１−ｎ＜Ｓ１ｎ，ａであり、ＳＴＣ１＜ＳＴＣ２である、上記に定義された方法が開示される。
【０２４３】
本発明の別の実施形態によると、吸音材料、音響バッフル、音響ディフューザ、音響共鳴器、音響シールド、能動音響消去機器、及びその任意の組合せから成るグループから選択された少なくとも１つによって、内部体積の中で音響の残響、音響の反射、又は両方を低減するように外囲容器を構成するステップをさらに含む、上記に定義された方法が開示される。
【０２４４】
本発明の別の実施形態によると、以下のステップ、つまり（ａ）近位端及び反対の遠位端を備える主要な長手方向軸を有する細長い形状によってさらに特徴付けられる外囲容器を形成するステップと、（ｂ）端部の内の少なくとも１つでＰＴＩに温度調節ベント（ＴＲＶ）を接続するステップと、（ｃ）実質的に軸に沿って端部から反対の端部に向かって空気を流すようにＴＲＶを構成するステップと、（ｄ）軸に平行に患者を収容するためのサイズ及び形状によって外囲容器を構成するステップと、（ｅ）少なくとも１つの第１の通気モジュール、少なくとも１つの第１の加熱／冷却モジュール、第１の通気モジュール又は第１の加熱／冷却モジュールのどちらかに隣接して位置する少なくとも１つのフィルタ、少なくとも１つの加湿モジュール、及びその任意の組合せから成るグループからＴＲＶを選択するステップをさらに含む、上記に定義された方法が開示される。
【０２４５】
本発明の一実施形態によると、磁気共鳴イメージング機器（ＭＲＤ）に適した患者搬送インキュベータ（ＰＴＩ）が提供される。ＭＲＤは開放ボアを有し、インキュベータは第１のセットの寸法を有する内部体積を含み、内部体積は、２０１３年５月２１日付けで、その全体として組み込まれる特許第２２６４８８ＩＬ号に示されるように、ＭＲＩと互換性のある新生児の寝台の少なくとも一部分を収容するための形状及びサイズによって適応され、内部体積は、開放ボアの中に一時的に導入される形状及びサイズによって適応される第２のセットの寸法を有する外囲容器によってさらに覆われ、外囲容器の少なくとも一部分が、内部体積をその環境から分離する熱分離ＭＲＩ安全不干渉防音発泡体を含む。
【０２４６】
本発明の別の実施形態によると、少なくとも２つの接続されたパーツを含み、パーツが、蝶番、継手、フック、リンク、ブリッジ、クランプ、ボンド、ブラケット、留め金、ロック、スナップ、ブレース、グリップ、連結部、混交、ネジ切り等の手段によって接続される、上記に定義されたＰＴＩが開示される。
【０２４７】
本発明の別の実施形態によると、開放位置が、固定位置に留まる外囲容器の別の部分に対して、外囲容器の少なくとも一部を移動することによって得られる、上記に定義されたＰＴＩが開示される。この移動は、外囲容器のパーツを完全に分離する、又は外囲容器の少なくとも一部分で接続されたままにすることができる。
【０２４８】
本発明の別の実施形態によると、外囲容器のパーツ間の接続が、温度、音、振動、及びその任意の組合せから成るグループから選択された外部条件から外囲容器の内部体積をよりうまく隔離するための場所、材料、及び形状によって定義される、上記に定義されたＰＴＩが開示される。
【０２４９】
本発明の別の実施形態によると、外囲容器が、円筒形、多角形、多形、対称、非対称、凹状、人間工学的等の複数の形状の内の少なくとも１つで形成される、上記に定義されたＰＴＩが開示される。
【０２５０】
本発明の別の実施形態によると、機構が、ＭＲＩと互換性のある新生児の寝台にＰＴＩを取り付ける、上記に定義されたＰＴＩが開示される。取付け機構は、ベルト締め、ネジ留め、たたき出し、嵌合、摺動、トラッキング、係止、ロック、接合、固着、埋込み、混交、クランピング、結合、ロック、植付け、取付け、リンク、接着、スタンピング、被覆、層化、接続、相互接続、フッキング、挿入、巻込み等によって動作する。さらに、この取付けは、中のＭＲＩと互換性のある寝台への高速接近を可能にする高速解放機構である。
【０２５１】
本発明の別の実施形態によると、少なくとも１つのユーザインタフェースを含み、少なくとも１つのユーザインタフェースがインキュベータの定められた領域に位置し、これによりＰＴＩがＭＲＤの開放ボア内にあるときにユーザインタフェースが利用しやすい、上記に定義されたＰＴＩが開示される。
【０２５２】
本発明の別の実施形態によると、検知装置を含み、装置がＰＴＩの少なくとも一部分に接続され、埋め込まれ、一体化され、層化され、相互接続され、取り付けられ、配置され、混交され、付着され、植え付けられ、入れ子にされる等、上記に定義されたＰＴＩが開示される。
【０２５３】
本発明の別の実施形態によると、検知装置を含み、少なくとも１つのインジケータをさらに含み、装置が少なくとも１つのインジケータにデータを送信することによって少なくとも１つの信号に応答する、上記に定義されたＰＴＩが開示される。
【０２５４】
本発明の別の実施形態によると、例えば医療、電気、送信、照明、監視、加熱、換気、視聴等からの装置を含む、上記に定義されたＰＴＩが開示される。
【０２５５】
本発明の別の実施形態によると、開示された装置がＰＴＩの単一の場所又は複数の場所に位置する、上記に定義されたＰＴＩが開示される。
【０２５６】
本発明の別の実施形態によると、インジケータが、可聴インジケータ、視覚インジケータ、感知インジケータ、及びその任意の組合せから成るグループから選択される、上記に定義されたＰＴＩが開示される。
【０２５７】
本発明の別の実施形態によると、警報システムを含み、警報システムがユーザインタフェースに相互接続される、上記に定義されたＰＴＩが開示される。
【０２５８】
本発明の別の実施形態によると、警報システムを含み、警報システムが所定の値に反応する、上記に定義されたＰＴＩが開示される。
【０２５９】
本発明の別の実施形態によると、警報インジケータを含み、警報インジケータが、可聴インジケータ、視覚インジケータ、感知インジケータ、及びその任意の組合せから選択される、上記に定義されたＰＴＩが開示される。
【０２６０】
本発明の別の実施形態によると、ＣＰＵを含み、ＣＰＵがユーザインタフェースに相互接続される、上記に定義されたＰＴＩが開示される。
【０２６１】
本発明の別の実施形態によると、ＣＰＵが検知装置、医療機器、電源、及びその任意の組合せに相互接続される、上記に定義されたＰＴＩが開示される。
【０２６２】
本発明の別の実施形態によると、検知装置及び電気設備からの派生的データが、医療、監視、ＣＰＵ、ユーザインタフェース、制御ユニット、インジケータ、及びその任意の組合せから成るグループから選択された他の機器に転送可能である、上記に定義されたＰＴＩが開示される。
【０２６３】
本発明の別の実施形態によると、ＣＰＵが、開示された装置から受信されたデータを受信、解析、転送、及びその任意の組合せを行う、上記に定義されたＰＴＩが開示される。
【０２６４】
本発明の別の実施形態によると、派生的データが、銅線、光ファイバ、無線通信チャネル、及びその任意の組合せから成るグループから選択された方法で転送可能である、上記に定義されたＰＴＩが開示される。
【０２６５】
本発明の別の実施形態によると、包囲された内部体積を含み、外囲容器の少なくとも一部分が難燃性材料と一体化される、上記に定義されたＰＴＩが開示される。
【０２６６】
本発明の別の実施形態によると、外囲容器が少なくとも１つの開口部を含む、上記に定義されたＰＴＩが開示される。
【０２６７】
本発明の別の実施形態によると、以下、つまり（ａ）開口部が、開口部を通過する音を弱めるように構成された少なくとも１つの音響減衰手段をさらに含む、（ｂ）開口部が、管、生命維持、監視、検知、温度維持、換気、及びその任意の組合せから成るグループから選択された装置の通過のためのサイズ及び形状によって適応される、並びに（ｃ）開口部が、取扱者の手の通過を可能にするためのサイズ及び形状によって適応される、の内の少なくとも１つが当てはまる、上記に定義されたＰＴＩが開示される。
【０２６８】
本発明の別の実施形態によると、外囲容器を含み、外囲容器が、ＭＲＩと互換性のある新生児の寝台を収容するための少なくとも１つの開放位置、及び内部体積の中にＭＲＩと互換性のある新生児の寝台を少なくとも部分的に制限するための少なくとも１つの閉鎖位置のために構成される、上記に定義されたＰＴＩが開示される。
【０２６９】
本発明の別の実施形態によると、外囲容器が、内部体積の中の患者への迅速な接近を可能にする簡易脱着機構を含む、上記に定義されたＰＴＩが開示される。
【０２７０】
本発明の別の実施形態によると、少なくとも部分的に透明な材料の少なくとも一部分を含み、透明な材料が患者の少なくとも一部を視覚的に観察できるようにする、上記に定義されたＰＴＩが開示される。
【０２７１】
本発明の別の実施形態によると、以下、つまり（ａ）外囲容器がＭＲＤボアとの接触から患者組織を分離する、（ｂ）内部体積に向く外囲容器の形状が、患者の人間工学的形状、非人間工学的形状、患者移動制限形状、及びその任意の組合せから成るグループから選択される、（ｃ）外囲容器が、身体が導電ループを形成しないように患者の身体の配置を可能にするためのサイズ及び形状によって定められる、の内の少なくとも１つが当てはまる、上記に定義されたＰＴＩが開示される。
【０２７２】
本発明の別の実施形態によると、温度、湿度、Ｏ２濃度、ＣＯ２濃度、Ｏ２濃度、音響レベル、可聴周波数、音方向、音響振幅、音調、音速、振動、移動、ドリフト、光、ＰＴＩ構成、ＰＴＩ構造的完全性、ＰＴＩロック構成、及びその任意の組合せから成るグループから選択された少なくとも１つのパラメータを検知するように構成された少なくとも１つのセンサを含む、上記に定義されたＰＴＩが開示される。
【０２７３】
本発明の別の実施形態によると、外囲容器を含み、外囲容器が、温度調節ベントモジュール、通気モジュール、ユーザインタフェースモジュール、制御ユニットモジュール、少なくとも１つの生命維持システムモジュール、監視モジュール、センサモジュール、及びその任意の組合せから成るグループから選択された少なくとも１つの可逆的に接続可能なモジュールを収容するように構成される、上記に定義されたＰＴＩが開示される。
【０２７４】
本発明の別の実施形態によると、少なくとも１つの可逆的に接続可能なモジュールが、上部、底部、側部、後部、前部、及びその任意の組合せから成るグループから選択された、外囲容器に対する場所で接続可能である、上記に定義されたＰＴＩが開示される。
【０２７５】
本発明の別の実施形態によると、ＰＴＩが、音響レベル、トーン、倍音構成、残響、可聴周波数、音波波長、音波振幅、音波速度、音波方向、音波エネルギー、音波位相、音波形状、音波エンベロープ、音の音質、及びその任意の組合せから成るグループから選択された所定の音響特性で、内部体積の中で騒音を低減するように構成される、上記に定義されたＰＴＩが開示される。
【０２７６】
本発明の別の実施形態によると、ＰＴＩは、音響レベル低減、音響反射低減、音残響低減、音波拡散、改変されたサウンドシグネチャ、及びその任意の組合せから成るグループから選択された少なくとも１つによって騒音を低減するように構成される、上記に定義されたＰＴＩが開示される。
【０２７７】
本発明の別の態様によると、ＰＴＩが、音響レベル、トーン、倍音構成、残響、可聴周波数、音波波長、音波振幅、音波速度、音波方向、音波エネルギー、音波位相、音波形状、音波エンベロープ、音の音質、及びその任意の組合せから成るグループから選択された、環境から内部体積に到達する少なくとも１つの音響特性を変更し、それによって少なくとも１つのサウンドシグネチャを生成するように構成される、上記に定義されたＰＴＩが開示される。
【０２７８】
本発明の別の実施形態によると、サウンドシグネチャは、ユーザによって設定可能、所定、新生児の寿命パラメータに関して自動的に調整可能、及びその任意の組合せから成るグループから選択される、上記に定義されたＰＴＩが開示される。
【０２７９】
本発明の別の実施形態によると、外囲容器が、患者に届くサウンドシグネチャを変更するように構成された、吸音材料、共鳴器、音響シールド、低音トラップ、音響バッフル、ディフューザ、遮音パッド、音響反射板、音響弱音器、及びその任意の組合せから成るグループから選択された少なくとも１つをさらに含む、上記に定義されたＰＴＩが開示される。
【０２８０】
本発明の別の実施形態によると、外囲容器が、少なくとも１つの密封材料、少なくとも１つの吸音材料、少なくとも１つの吸振材料、及びその任意の組合せから成るグループから選択された材料の少なくとも一部分を含む、上記に定義されたＰＴＩが開示される。
【０２８１】
本発明の別の実施形態によると、外囲容器の少なくとも一部分がｎ個の層を含み、さらにｎ個の層のそれぞれが内部体積に向かう内側、及び環境に向く反対の外側を含む、上記に定義されたＰＴＩが開示される。
【０２８２】
本発明の別の実施形態によると、ｎ個の層のそれぞれが、所定の騒音減少率（ＮＲＣ）値、音響伝送クラス（ＳＴＣ）値、又は両方を含み、さらにＮＲＣ値、ＳＴＣ値、又は両方がｎ個の層の内の１つのそれぞれに対して等しい又は異なることがある、上記に定義されたＰＴＩが開示される。
【０２８３】
本発明の別の実施形態によると、ｎ個の層がｎ個の層のそれぞれに騒音減少率（ＮＲＣ）値を含み、層のそれぞれが層外側で測定された少なくとも１つの音響レベルＳ１［ｄＢ］、及び層内側で測定された少なくとも１つの第１の音響レベルＳｎ［ｄＢ］を含み、ｄＳ１−．．．ｄＳｎを有し、ＰＴＩのｄＳがＳ１−Ｓｎに等しく、Ｓ１−Ｓｎ＜Ｓ１である、上記に定義されたＰＴＩが開示される。
【０２８４】
本発明の別の実施形態によると、ｎ個の層がｎ個の層のそれぞれに音響伝送クラス（ＳＴＣ）値を含み、層のそれぞれが層外側で測定された少なくとも１つの音響レベルＳ１［ｄＢ］、及び層内側で測定された少なくとも１つの第１の音響レベルＳｎ［ｄＢ］を含み、ｄＳ１−．．．ｄＳｎを有し、ＰＴＩのｄＳがＳ１−Ｓｎに等しく、Ｓ１−Ｓｎ＜Ｓ１である、上記に定義されたＰＴＩが開示される。
【０２８５】
本発明の別の実施形態によると、ＰＴＩが、（ａ）ｎ個の層の内の少なくとも２つの間の空間Ｓ１−ｎ、（ｂ）層１−ｎについて測定されたＳＴＣ１（音響伝送クラス）値、及び（ｃ）ｎ個の層の内の少なくとも１つに接続され、ｎ個の層の内の少なくとも１つを起動させるように構成され、空間Ｓ１−ｎ，ａ  ｉｓ及び層１−ｎについて測定されたＳＴＣ２値が提供されるようにｎ個の層の内の少なくとも２つの間に空間Ｓ１−ｎを有する可逆可動化手段をさらに含み、上式ではＳ１−ｎ＜Ｓ１ｎ，ａであり、ＳＴＣ１＜ＳＴＣ２である、上記に定義されたＰＴＩが開示される。
【０２８６】
本発明の別の実施形態によると、外囲容器が、吸音材料、音響バッフル、音響ディフューザ、音響共鳴器、音響シールド、能動音響消去機器、及びその任意の組合せから成るグループから選択された少なくとも１つによって、内部体積の中で音の残響、音の反射、又は両方を低減するように構成される、上記に定義されたＰＴＩが開示される。
【０２８７】
本発明の別の実施形態によると、近位端及び反対の遠位端を備える主要な長手方向軸を有する細長い形状によって特徴付けられる、上記に定義されたＰＴＩが開示され、ＰＴＩは端部の内の少なくとも１つに温度調節ベント（ＴＲＶ）をさらに含み、ＴＲＶは実質的に軸に沿って端部から反対の端部に向かって空気を流すように適応され、軸に平行に患者を収容するためのサイズ及び形状によって構成され、さらにＴＲＶは少なくとも１つの第１の通気モジュール、少なくとも１つの第１の加熱／冷却モジュール、第１の通気モジュール又は第１の加熱／冷却モジュールのどちらかに隣接して位置する少なくとも１つのフィルタ、少なくとも１つの加湿モジュール、及びその任意の組合せから成るグループから選択されたモジュールである。
【０２８８】
本発明の１つの方法によると、（ａ）患者搬送インキュベータ（ＰＴＩ）は、ＭＲＩと互換性のある新生児の寝台の少なくとも一部分を収容するための形状及びサイズによって適応された第１のセットの寸法を有する内部体積を含み、内部体積が開放ボアの中に一時的に導入される形状及びサイズによって適応された第２のセットの寸法を有する外囲容器によってさらに覆われ、外囲容器の少なくとも一部分がＭＲＩ安全熱分離防音発泡体を含む、開放ボアを有するＭＲＩ機器に適したＰＴＩを入手するステップと、（ｂ）新生児の寝台の中に新生児を配置するステップと、（ｃ）包囲された内部体積の中に新生児の寝台を配置するステップと、（ｄ）ＭＲＩ開放ボアの中にＰＴＩを導入し、画像化するステップとを含む、患者の磁気共鳴イメージング。
【０２８９】
本発明の別の実施形態によると、難燃性材料の少なくとも一部分をさらに含む外囲容器を入手するステップをさらに含む、上記に定義された方法が開示される。
【０２９０】
本発明の別の実施形態によると、少なくとも１つの開口部をさらに含む外囲容器を入手するステップをさらに含む、上記に定義された方法が開示される。
【０２９１】
本発明の別の実施形態によると、以下のステップ、つまり（ａ）開口部が、開口部を通過する音を弱めるように構成された少なくとも１つの音響減衰手段をさらに含む外囲容器を入手し、少なくとも部分的に音を弱めるステップと、（ｂ）開口部が、管、生命維持、監視、検知、温度維持、換気、及びその任意組合せから成るグループから選択された装置の通過のためのサイズ及び形状によって適応される外囲容器を入手し、環境から内部体積に装置の少なくとも一部分を渡すステップと、（ｃ）開口部が、取扱者の手の通過を可能にするためのサイズ及び形状によって適応される外囲容器を入手し、取扱者の手に可逆的に開口部を通過させるステップ、の内の少なくとも１つをさらに含む、上記に定義された方法が開示される。
【０２９２】
本発明の別の実施形態によると、患者を収容するための少なくとも１つの開放位置、及び内部体積の中に患者を少なくとも部分的に制限するための少なくとも１つの閉鎖位置を提供し、患者を収容する、又は制限するように外囲容器を構成するステップをさらに含む、上記に定義された方法が開示される。
【０２９３】
本発明の別の実施形態によると、ロック、バー、ベルト、ピン、フック等によって外囲容器の閉鎖位置を確保するステップをさらに含む、上記に定義された方法が開示される。
【０２９４】
本発明の別の実施形態によると、内部体積の中の患者への迅速な接近を可能にする簡易脱着機構をさらに含む外囲容器を入手し、簡易脱着機構を操作するステップをさらに含む、上記に定義された方法が開示される。
【０２９５】
本発明の別の実施形態によると、少なくとも部分的に透明な材料の少なくとも一部分をさらに含んむ外囲容器を入手し、透明な材料が患者の少なくとも一部を視覚的に観察できるようにし、患者を見るステップをさらに含む、上記に定義された方法が開示される。
【０２９６】
本発明の別の実施形態によると、以下のステップ、つまり（ａ）患者の組織をＭＲＤボアとの接触から分離するようにさらに構成された外囲容器を入手するステップと、（ｂ）患者の人間工学的形状、非人間工学的形状、患者移動制限形状、及びその任意の組合せから成るグループから選択された内部体積に向く形状をさらに含む外囲容器を入手するステップと、（ｃ）身体が導電ループを形成しないように患者の身体の配置を可能にするためのサイズ及び形状によってさらに定められた外囲容器を入手するステップをさらに含む、上記に定義された方法が開示される。
【０２９７】
本発明の別の実施形態によると、温度、湿度、Ｏ２濃度、ＣＯ２濃度、Ｏ２濃度、音響レベル、可聴周波数、音方向、音響振幅、音調、音速、振動、移動、ドリフト、光、ＰＴＩ構成、ＰＴＩ構造的完全性、ＰＴＩロック構成、及びその任意の組合せから成るグループから選択された少なくとも１つのパラメータを検知するように構成された少なくとも１つのセンサをさらに含む外囲容器を入手し、センサによって検知するステップをさらに含む、上記に定義された方法が開示される。
【０２９８】
本発明の別の実施形態によると、ＰＴＩに医療、電気、データ転送、照明、監視、加熱、換気、視聴等の装置を結合するステップをさらに含む、上記に定義された方法が開示される。
【０２９９】
本発明の別の実施形態によると、ユーザインタフェースから入力を受け取り、患者の監視を可能にするステップをさらに含む、上記に定義された方法が開示される。
【０３００】
本発明の別の実施形態によると、必要性に従ってＰＴＩからＭＲＩと互換性のある新生児の寝台を簡易脱着するステップをさらに含む、上記に定義された方法が開示される。
【０３０１】
本発明の別の実施形態によると、温度調節ベントモジュール、通気モジュール、ユーザインタフェースモジュール、制御ユニットモジュール、少なくとも１つの生命維持システムモジュール、監視モジュール、センサモジュール、及びその任意の組合せから成るグループから選択された少なくとも１つの可逆的に接続可能なモジュールを収容するようにさらに構成された外囲容器を入手し、少なくとも１つの補助モジュールを可逆的に接続するステップをさらに含む、上記に定義された方法が開示される。
【０３０２】
本発明の別の実施形態によると、上部、底部、側部、後部、前部、及びその任意の組合せから成るグループから選択された、外囲容器に対する場所で、少なくとも１つの可逆的に接続可能なモジュールを接続するステップをさらに含む、上記に定義された方法が開示される。
【０３０３】
本発明の別の実施形態によると、音響レベル、トーン、倍音構成、残響、可聴周波数、音波波長、音波振幅、音波速度、音波方向、音波エネルギー、音波位相、音波形状、音波エンベロープ、音の音質、及びその任意の組合せから成るグループから選択された所定の音響特性で、内部体積の中で騒音を低減するようにＰＴＩを構成するステップをさらに含む、上記に定義された方法が開示される。
【０３０４】
本発明の別の実施形態によると、音響レベル低減、音響反射低減、音残響低減、音波拡散、改変されたサウンドシグネチャ、及びその任意の組合せから成るグループから選択された少なくとも１つによって内部体積の中で騒音を低減するステップをさらに含む、上記に定義された方法が開示される。
【０３０５】
本発明の別の実施形態によると、音響レベル、トーン、倍音構成、残響、可聴周波数、音波波長、音波振幅、音波速度、音波方向、音波エネルギー、音波位相、音波形状、音波エンベロープ、音の音質、及びその任意の組合せから成るグループから選択された、環境から内部体積に到達する少なくとも１つの音響特性を変更し、それによって少なくとも１つのサウンドシグネチャを生成するステップをさらに含む、上記に定義された方法が開示される。
【０３０６】
本発明の別の実施形態によると、ユーザによって設定可能、所定、新生児の寿命パラメータに関して自動的に調整可能、及びその任意の組合せから成るグループからサウンドシグネチャを選択するステップをさらに含む、上記に定義された方法が開示される。
【０３０７】
本発明の別の実施形態によると、患者に届くサウンドシグネチャを変更するように構成された、吸音材料、共鳴器、音響シールド、低音トラップ、音響バッフル、ディフューザ、遮音パッド、音響反射板、音響弱音器、能動音響消去機器、及びその任意の組合せから成るグループから選択された少なくとも１つをさらに含む外囲容器を入手するステップをさらに含む、上記に定義された方法が開示される。
【０３０８】
本発明の別の実施形態によると、少なくとも１つの密封材料、少なくとも１つの吸音材料、少なくとも１つの吸振材料、及びその任意の組合せから成るグループから選択された材料の少なくとも一部分をさらに含む外囲容器を入手するステップをさらに含む、上記に定義された方法が開示される。
【０３０９】
本発明の別の実施形態によると、少なくとも一部分がｎ個の層を含み、さらにｎ個の層のそれぞれが内部体積に向かう内側、及び環境に向く反対の外側を含む外囲容器を入手するステップをさらに含む、上記に定義された方法が開示される。
【０３１０】
本発明の別の実施形態によると、ｎ個の層を含む外囲容器を入手し、ｎ個の層のそれぞれが所定の騒音減少率（ＮＲＣ）値、音響伝送クラス（ＳＴＣ）値、又は両方を含み、さらにｎ個の層の１つのそれぞれに等しい又は異なったＮＲＣ値、ＳＴＣ値、又は両方を含んだ層をそれぞれ選択するステップをさらに含む、上記に定義された方法が開示される。
【０３１１】
本発明の別の実施形態によると、ｎ個の層のそれぞれに騒音減少率（ＮＲＣ）値をさらに含むｎ個の層を含む外囲容器を入手するステップをさらに含み、層のそれぞれが層外側で測定された少なくとも１つの音響レベルＳ１［ｄＢ］、及び層内側で測定された少なくとも１つの第１の音響レベルＳｎ［ｄＢ］を含み、ｄＳ１−．．．ｄＳｎを有し、ＰＴＩのｄＳがＳ１−Ｓｎに等しく、Ｓ１−Ｓｎ＜Ｓ１である、上記に定義された方法が開示される。
【０３１２】
本発明の別の実施形態によると、ｎ個の層のそれぞれに音響伝送クラス（ＳＴＣ）値をさらに含むｎ個の層を含む外囲容器を入手するステップをさらに含み、層のそれぞれが層外側で測定された少なくとも１つの音響レベルＳ１［ｄＢ］、及び層内側で測定された少なくとも１つの第１の音響レベルＳｎ［ｄＢ］を含み、ｄＳ１−．．．ｄＳｎを有し、ＰＴＩのｄＳがＳ１−Ｓｎに等しく、Ｓ１−Ｓｎ＜Ｓ１である、上記に定義された方法が開示される。
【０３１３】
本発明の別の実施形態によると、（ａ）ｎ個の層の内の少なくとも２つの間の空間Ｓ１−ｎ、（ｂ）層１−ｎについて測定されたＳＴＣ１（音響伝送クラス）値、及び（ｃ）ｎ個の層の内の少なくとも１つに接続され、ｎ個の層の内の少なくとも１つを起動させるように構成され、空間Ｓ１−ｎ，ａ  ｉｓ及び層１ｎについて測定されたＳＴＣ２値が提供されるようにｎ個の層の内の少なくとも２つの間に空間Ｓ１ｎを有し、上式ではＳ１−ｎ＜Ｓ１ｎ，ａであり、ＳＴＣ１＜ＳＴＣ２である、可逆可動化手段をさらに含む外囲容器を入手し、少なくとも１つの層を可逆的に起動させるステップをさらに含む、上記に定義された方法が開示される。
【０３１４】
本発明の別の実施形態によると、吸音材料、音響バッフル、音響ディフューザ、音響共鳴器、音響シールド、及びその任意の組合せから成るグループから選択された少なくとも１つを活用することによって、内部体積の中で音の残響、音の反射、又は両方を低減するようにさらに構成される外囲容器を入手するステップをさらに含む、上記に定義された方法が開示される。
【０３１５】
本発明の別の実施形態によると、以下のステップ、つまり（ａ）近位端及び反対の遠位端を備える主要な長手方向軸を有する細長い形状によってさらに特徴付けられ、ＰＴＩは端部の内の少なくとも１つに温度調節ベント（ＴＲＶ）をさらに含み、ＴＲＶは実質的に軸に沿って端部から反対の端部に向かって空気を流すように適応され、軸に平行に患者を収容するためのサイズ及び形状によって構成される、外囲容器を入手するステップと、（ｂ）少なくとも１つの第１の通気モジュール、少なくとも１つの第１の加熱／冷却モジュール、第１の通気モジュール又は第１の加熱／冷却モジュールのどちらかに隣接して位置する少なくとも１つのフィルタ、少なくとも１つの加湿モジュール、及びその任意の組合せから成るグループからＴＲＶを選択するステップと、（ｃ）ＴＲＶを操作し、それによって以下、つまり内部体積の中の空気の通気、加熱、冷却、濾過、加湿の内の少なくとも１つを実行するステップをさらに含む、上記に定義された方法が開示される。
【０３１６】
本発明の別の実施形態によると、開放ボアを有するＭＲＩ機器に適した患者搬送インキュベータ（ＰＴＩ）を製造する方法、ＰＴＩはＭＲＩと互換性のある新生児の寝台の少なくとも一部分を収容するための形状及びサイズによって適応された第１のセットの寸法を有する内部体積を含み、内部体積は、開放ボアの中に一時的に導入される形状及びサイズによって適応された第２のセットの寸法を有する外囲容器によってさらに覆われ、外囲容器の少なくとも一部分はＭＲＩ安全熱分離防音発泡体を含み、（ａ）ＭＲＩと互換性のある新生児の寝台の少なくとも一部分を収容するための内部体積の寸法を定めるステップと、（ｂ）ＭＲＩと互換性のある新生児の寝台の少なくとも一部分を収容するときに、ＭＲＩ開放ボアの中に一時的に導入される外囲容器の形状及びサイズによって適応された寸法を定めるステップと、（ｃ）内部体積をその環境から分離する外囲容器を形成するステップを含み、外囲容器の少なくとも一部分は内部体積をその環境から分離するＭＲＩ安全熱分離防音発泡体を含む。
【０３１７】
本発明の別の実施形態によると、難燃性材料と統合された外囲容器の少なくとも一部分を形成するステップをさらに含む、上記に定義された方法が開示される。
【０３１８】
本発明の別の実施形態によると、少なくとも１つの開口部を含む外囲容器を形成するステップをさらに含む、上記に定義された方法が開示される。
【０３１９】
本発明の別の実施形態によると、以下の内の少なくとも１つが当てはまる、（ａ）開口部を通過する音を弱めるように構成された少なくとも１つの音響減衰手段を取り付けるステップと、（ｂ）管、生命維持、監視、検知、温度維持、換気、及びその任意の組合せから成るグループから選択された装置の通過のためのサイズ及び形状によって開口部を適応するステップと、（ｄ）取扱者の手の通過を可能にするためのサイズ及び形状によって開口部を構成するステップをさらに含む、上記に定義された方法が開示される。
【０３２０】
本発明の別の実施形態によると、患者を収容するための少なくとも１つの開放位置、及び内部体積の中に患者を少なくとも部分的に制限するための少なくとも１つの閉鎖位置のために外囲容器を構成するステップをさらに含む、上記に定義された方法が開示される。
【０３２１】
本発明の別の実施形態によると、内部体積の中の患者への迅速な接近を可能にする簡易脱着機構を取り付けるステップをさらに含む、上記に定義された方法が開示される。
【０３２２】
本発明の別の実施形態によると、少なくとも部分的に透明な材料を含む外囲容器の少なくとも一部分を形成し、それによって患者の少なくとも一部を視覚的に観察できるようにする、上記に定義された方法が開示される。
【０３２３】
本発明の別の実施形態によると、以下の内の少なくとも１つが当てはまる、（ａ）ＭＲＤボアとの接触から患者組織を分離するように構成された外囲容器を形成するステップと、（ｂ）患者の人間工学的形状、非人間工学的形状、患者移動制限形状、及びその任意の組合せから成るグループから外囲容器内部体積に向く形状を選択するステップと、（ｃ）身体が導電ループを形成しないように患者の身体の配置を可能にするためのサイズ及び形状によって外囲容器を定めるステップをさらに含む、上記に定義された方法が開示される。
【０３２４】
本発明の別の実施形態によると、外囲容器に少なくとも１つのセンサを取り付け、温度、湿度、Ｏ２濃度、ＣＯ２濃度、Ｏ２濃度、音響レベル、可聴周波数、音方向、音響振幅、音調、音速、振動、移動、ドリフト、光、ＰＴＩ構成、ＰＴＩ構造的完全性、ＰＴＩロック構成、及びその任意の組合せから成るグループから選択された少なくとも１つのパラメータを検知するようにセンサを構成するステップをさらに含む、上記に定義された方法が開示される。
【０３２５】
本発明の別の実施形態によると、内部体積をその環境から分離する、外囲容器を形成するために少なくとも２つの部分を接続するステップをさらに含む、上記に定義された方法が開示される。
【０３２６】
本発明の別の実施形態によると、取扱者にとって人間工学的となるように適応される外囲容器のパーツの寸法を定めるステップをさらに含む、上記に定義された方法が開示される。
【０３２７】
本発明の別の実施形態によると、開放成形、閉鎖成形射出、真空形成、押出し、拡大、鋳造、引き伸ばし、シートアセンブル、発砲、合成、及びその任意の組合せから成るグループから選択された手段によって外囲容器発泡体の少なくとも一部分を形成するステップをさらに含む、上記に定義された方法が開示される。
【０３２８】
本発明の別の実施形態によると、清掃、滅菌、平滑化、テクスチャ追加、着色、被覆、型分類、接着、穿孔、たたき出し、噴霧、浸漬等の表面改質によって外囲容器の少なくとも一部分をさらに形成するステップをさらに含む、上記に定義された方法が開示される。
【０３２９】
本発明の別の実施形態によると、医療、電気、データ転送、検知、換気、加熱、視聴、監視、及びその任意の組合せのグループから選択される装置の通過を可能にするためのサイズ及び形状の寸法による空間適合を生じさせるステップをさらに含む、上記に定義された方法が開示される。
【０３３０】
本発明の別の実施形態によると、温度、湿度、音、振動、等の外部条件から外囲容器の内部体積を隔離するための場所、材料、形状、及びサイズによって、外囲容器間の接続領域を画定するステップをさらに含む、定義される上記に定義された方法が開示される。
【０３３１】
本発明の別の実施形態によると、少なくとも１つのユーザインタフェースを含むステップをさらに含む、定義される上記に定義された方法が開示される。
【０３３２】
本発明の別の実施形態によると、ユーザインタフェースの別のモジュールを構築するステップをさらに含む、定義される上記に定義された方法が開示される。
【０３３３】
本発明の別の実施形態によると、温度、湿度、ガス濃度、音響レベル、振動、ドリフト、光、呼吸、心臓機能、血中酸素、神経学的活動、電気、無線周波数、データ転送、インキュベータ外囲容器の開放状態又は閉鎖状態、インキュベータの構造的完全性、相互接続されたパーツの構造的完全性、インキュベータの一般的な機能、及びその任意の組合せから成る選択されたグループから検知装置をインキュベータに接続するステップをさらに含む、上記に定義された方法が開示される。
【０３３４】
本発明の別の実施形態によると、医療機器、検知装置、電気設備、監視装置、制御ユニット、ＣＰＵ、音声インジケータ、視覚インジケータ、検知インジケータ、警報システム、電源、及びその任意の組合せから成るグループから選択された品目にユーザインタフェースを接続するステップをさらに含む、上記に定義された方法が開示される。
【０３３５】
本発明の別の実施形態によると、内部体積の中のＭＲＩと互換性のある新生児の寝台への迅速な接近を可能にする簡易脱着機構を統合するステップをさらに含む、上記に定義された方法が開示される。
【０３３６】
本発明の別の実施形態によると、温度調節ベントモジュール、通気モジュール、ユーザインタフェースモジュール、制御ユニットモジュール、少なくとも１つの生命維持システムモジュール、監視モジュール、センサモジュール、及びその任意の組合せから成るグループから選択された少なくとも１つの可逆的に接続可能なモジュールを収容するように外囲容器を構成するステップをさらに含む、上記に定義された方法が開示される。
【０３３７】
本発明の別の実施形態によると、上部、底部、側部、後部、前部、及びその任意の組合せから成るグループから選択された、外囲容器に対する場所で少なくとも１つの可逆的な接続を生じさせるステップをさらに含む、上記に定義された方法が開示される。
【０３３８】
本発明の別の実施形態によると、所定の音響特性で内部体積の中の騒音を低減するようにＰＴＩを構成し、音響レベル、トーン、倍音構成、残響、可聴周波数、音波波長、音波振幅、音波速度、音波方向、音波エネルギー、音波位相、音波形状、音波エンベロープ、音の音質、及びその任意の組合せから成るグループから音響特性を選択するステップをさらに含む、上記に定義された方法が開示される。
【０３３９】
本発明の別の実施形態によると、音響レベル低減、音響反射低減、音残響低減、音波拡散、改変されたサウンドシグネチャ、及びその任意の組合せから成るグループから、低減される少なくとも１つの騒音パラメータを選択するステップをさらに含む、上記に定義された方法が開示される。
【０３４０】
本発明の別の実施形態によると、音響レベル、トーン、倍音構成、残響、可聴周波数、音波波長、音波振幅、音波速度、音波方向、音波エネルギー、音波位相、音波形状、音波エンベロープ、音の音質、及びその任意の組合せから成るグループから、環境から内部体積に到達する少なくとも１つの音響特性を選択し、それによってＰＴＩによって変更される少なくとも１つのサウンドシグネチャを生成するステップをさらに含む、上記に定義された方法が開示される。
【０３４１】
本発明の別の実施形態によると、ユーザによって設定可能、所定、患者の寿命パラメータに関して自動的に調整可能、及びその任意の組合せから成るグループからサウンドシグネチャを選択するステップをさらに含む、上記に定義された方法が開示される。
【０３４２】
本発明の別の実施形態によると、患者に届くサウンドシグネチャを変更するように構成された、吸音材料、共鳴器、音響シールド、低音トラップ、音響バッフル、ディフューザ、遮音パッド、音響反射板、音響弱音器、及びその任意の組合せから成るグループから選択された少なくとも１つの手段を含むステップをさらに含む、上記に定義された方法が開示される。
【０３４３】
本発明の別の実施形態によると、少なくとも１つの密封材料、少なくとも１つの吸音材料、少なくとも１つの吸振材料、及びその任意の組合せから成るグループから選択された材料の外囲容器の少なくとも一部分を形成するステップをさらに含む、上記に定義された方法が開示される。
【０３４４】
本発明の別の実施形態によると、ｎ個の層を含む外囲容器の少なくとも一部分を形成するステップをさらに含み、さらにｎ個の層のそれぞれが内部体積に向かう内側、及び環境に向く反対の外側を含む、上記に定義された方法が開示される。
【０３４５】
本発明の別の実施形態によると、所定の騒音減少率（ＮＲＣ）値、音響伝送クラス（ＳＴＣ）値、又は両方を含むｎ個の層のそれぞれを形成するステップをさらに含み、さらにＮＲＣ値、ＳＴＣ値、又は両方がｎ個の層の内の１つのそれぞれに対して等しい又は異なることがある、上記に定義された方法が開示される。
【０３４６】
本発明の別の実施形態によると、ｎ個の層のそれぞれの騒音減少率（ＮＲＣ）値を含むｎ個の層を形成するステップをさらに含み、層のそれぞれが層外側で測定された少なくとも１つの音響レベルＳ１［ｄＢ］、及び層内側で測定された少なくとも１つの第１の音響レベルＳｎ［ｄＢ］を含み、ｄＳ１−．．．ｄＳｎを有し、ＰＴＩのｄＳがＳ１−Ｓｎに等しく、Ｓ１−Ｓｎ＜Ｓ１である、上記に定義された方法が開示される。
【０３４７】
本発明の別の実施形態によると、ｎ個の層のそれぞれの音響伝送クラス（ＳＴＣ）値を含むｎ個の層を形成するステップをさらに含み、層のそれぞれが層外側で測定された少なくとも１つの音響レベルＳ１［ｄＢ］、及び層内側で測定された少なくとも１つの第１の音響レベルＳｎ［ｄＢ］を含み、ｄＳ１−．．．ｄＳｎを有し、ＰＴＩのｄＳがＳ１−Ｓｎに等しく、Ｓ１−Ｓｎ＜Ｓ１である、上記に定義された方法が開示される。
【０３４８】
本発明の別の実施形態によると、以下のステップ、つまり（ａ）ｎ個の層の内の少なくとも２つの間の空間Ｓ１−ｎをさらに含む外囲容器を形成するステップと、（ｂ）層１−ｎについて測定された少なくとも１つのＳＴＣ１（音響伝送クラス）値を構成するステップと、（ｃ）ｎ個の層の内の少なくとも１つに接続され、ｎ個の層の内の少なくとも１つを起動させるように構成され、空間Ｓ１−ｎ，ａ  ｉｓ及び層１−ｎについて測定されたＳＴＣ２値が提供されるようにｎ個の層の内の少なくとも２つの間に空間Ｓ１−ｎを有し、上式ではＳ１−ｎ＜Ｓ１ｎ，ａであり、ＳＴＣ１＜ＳＴＣ２である、可逆可動化手段を接続するステップをさらに含む、上記に定義された方法が開示される。
【０３４９】
本発明の別の実施形態によると、吸音材料、音響バッフル、音響ディフューザ、音響共鳴器、音響シールド、能動音響消去機器、及びその任意の組合せから成るグループから選択された少なくとも１つによって、内部体積の中で音響の残響、音響の反射、又は両方を低減するように外囲容器を構成するステップをさらに含む、上記に定義された方法が開示される。
【０３５０】
本発明の別の実施形態によると、以下のステップ、つまり（ａ）近位端及び反対の遠位端を備える主要な長手方向軸を有する細長い形状によってさらに特徴付けられる外囲容器を形成するステップと、（ｂ）端部の内の少なくとも１つでＰＴＩに温度調節ベント（ＴＲＶ）を接続するステップと、（ｃ）実質的に軸に沿って端部から反対の端部に向かって空気を流すようにＴＲＶを構成するステップと、（ｄ）軸に平行に患者を収容するためのサイズ及び形状によって外囲容器を構成するステップと、（ｅ）少なくとも１つの第１の通気モジュール、少なくとも１つの第１の加熱／冷却モジュール、第１の通気モジュール又は第１の加熱／冷却モジュールのどちらかに隣接して位置する少なくとも１つのフィルタ、少なくとも１つの加湿モジュール、及びその任意の組合せから成るグループからＴＲＶを選択するステップをさらに含む、上記に定義された方法が開示される。
【０３５１】
本発明の別の実施形態によると、患者のＭＲＩの介護プロトコルの基準は、（ａ）患者搬送インキュベータ（ＰＴＩ）が第１のセットの寸法を有する内部体積を含み、内部体積がＭＲＩと互換性のある新生児の寝台の少なくとも一部分を収容するための形状及サイズによって適応され、内部体積が、開放ボアの中に一時的に導入される形状及びサイズによって適応された第２のセットの寸法を有する外囲容器によってさらに覆われる、開放ボアを有する磁気共鳴イメージング機器（ＭＲＤ）に適したＰＴＩを入手するステップと、外囲容器の少なくとも一部分がＭＲＩ安全熱分離防音発泡体を含むときに、コンパートメントをその環境から制限するステップと、（ｂ）ＭＲＩと互換性のある新生児の寝台の中に患者を配置するステップと、（ｃ）ＰＲＩによって包囲された内部体積によってＭＲＩと互換性のある新生児の寝台を少なくとも部分的に収容するステップと、（ｄ）ＭＲＩ開放ボアの中にＭＲＩと互換性のある新生児の寝台を収容するＰＴＩを導入し、画像化するステップを含み、以下、つまり（ａ）ＰＴＩの内部で測定された音圧が６０ｄＢの最大レベルを超えず、ＰＴＩコンパートメントの内部体積の音響レベルが少なくとも１０ｄＢ、このコンパートメントの外部の音響レベルよりも低い、（ｂ）ＰＴＩの内部で測定された音圧が４５ｄＢの最大レベルを超えず、ＰＴＩコンパートメントの内部体積の音響レベルが少なくとも１０ｄＢ、このコンパートメントの外部の音響レベルよりも低い、（ｃ）ＭＲＩの間にＰＴＩを活用するときの患者の騒音により誘発されるストレスからの唾液コルチゾルレベル指数の平均値がＭＲＩの間の平均値よりもｎ倍低く、ｎが１．０５以上である、（ｄ）ＭＲＩの間にＰＴＩを活用するときの患者の毎分移動平均数が患者の毎分移動平均数よりもｍ倍低く、ｍが１．０５以上である、（ｅ）患者あたりのＭＲＩ反復数の平均数が、患者のＭＲＩの間のＭＲＩ反復平均数よりも、ＰＴＩ活用時にｐ倍低く、ｐが１．０５以上である、（ｆ）ＰＴＩの中に収容されたＭＲＩと互換性のある新生児の寝台の内部体積の温度が、３６℃の制御温度よりも最大２℃異なる、（ｇ）ＰＴＩの中に収容されたＭＲＩと互換性のある新生児の寝台の中のＯ２濃度が３０ｖｏｌ．％を下回らず、４０ｖｏｌ．％を超えない、（ｈ）ＰＴＩの中に収容されたＭＲＩと互換性のある新生児の寝台の中のＣＯ２濃度が４％を超えない、（ｉ）２００ｍｌの漏れが発生しＰＴＩのコンパートメントに付着時にＰＴＩが安全に使用され続ける、（ｊ）ＰＴＩが、通常使用時に１０°傾けられるとき、及び輸送中に２０°傾けられるとき、安定したままとなる、（ｋ）力が１００Ｎ以下であるとき、ＰＴＩが転倒しない、（ｌ）ＰＴＩを活用するときの患者のＭＲＩ関係の落下事故の平均数が患者のＭＲＩ関係の落下事故の平均よりもｒ倍低く、ｒが１．０５以上である、（ｍ）ＰＴＩ活用時のＭＲＩに関連付けられる患者の感染平均数が、ＭＲＩに関連付けられる患者の感染平均数よりもｓ倍低く、ｓが１．０５以上である、（ｎ）ＰＴＩ活用時のＭＲＩ関連の患者の健康合併症の平均数が患者のＭＲＩ関連の健康合併症の平均数よりもｔ倍低く、ｔが１．０５以上である、（ｏ）電気設備システムを含むＰＴＩ��内部体積での放射電磁界が、ＥＭＣ（電磁両立性）のための副通則の周波数範囲の場合、最高で３Ｖ／ｍのレベルとなり、さらに電気設備が製造メーカによって指定されたようにその意図された機能を実行する、又はＥＭＣのための副通則の周波数範囲の場合、最高で１０Ｖ／ｍのレベルで安全性に対する危害を生じさせることなく機能しなくなる、及び（ｐ）ＭＲＩと関連する過剰加温事故及び火傷事故の平均数が、ＰＴＩ活用時にｕ倍低く、ｕが１．０５以上であること、の内の少なくとも１つが当てはまる。
【０３５２】
ここで、本発明の実施形態を、釣り合いをとらずに概略で示す図１Ａが参照される。本実施形態では患者搬送インキュベータは少なくとも２つのパーツを有するシリンダ付き形状のエンクロージャ（１００）を含む。外囲容器エンクロージャの少なくとも一部分は、肥厚ＭＲＩ透過性不干渉安全発泡体層（２０）を含む。外囲容器は、インキュベータの開放構成及び閉鎖構成を可能にする開口部（３０）を有し、開放構成は患者の配置を可能にする。外囲容器は、患者の少なくとも一部を見ることを可能にする透明な材料（１０）の少なくとも一部分からさらに構成される。外囲容器は、患者の状態及びインキュベータの状態の維持、監視、及び制御専用の複数の装置の通過又は接続を可能にする開口部（５２から５７）をさらに有する。この装置は、医療サポート、監視、照明、加熱、視聴、換気等専用の機器を含む。外囲容器に接続されるのは、温度、湿度、ガス濃度、振動、音響レベル、ドリフト、構造的完全性、開放構成又は閉鎖構成等、搬送インキュベータ及び内部体積の物理的特性の検知装置である。搬送インキュベータは、接続及び通過要素が編成されるユーザインタフェース空間（５０）をさらに収容している。また、ユーザインタフェースは、インキュベータの、及び患者の検知装置からのデータに応答する可視、可聴、及び感知等のインジケータ（５１）も含んでよい。本実施形態では、ユーザインタフェースは、インキュベータがＭＲＤ開放ボアの内部にあるときにユーザインタフェースが利用しやすいように、搬送保育器の前部に位置する。
【０３５３】
本発明の別の実施形態によると、ＰＴＩは、すべて参照としてその全体として本明細書に組み込まれる、適用されるすべての規則、特に以下の規格及びその項、つまり、ＡＮＳＩ／ＡＡＭＩ／ＩＥＣ６０６０１−２−２０：２００９、医用電気機器−第２−２０部、搬送保育器の基礎安全及び基本性能の特定要求事項、及びより詳細には第２０１．３．２０１項、空気温度が、オペレータにより設定される値に近くに空気温度センサによって自動的に制御される空気制御式搬送インキュベータ、２０１．３．２０２、定常温度状態の間に達成されるコンパートメントでの任意の指定点で規則正しい間隔で採取される温度示度の平均温度平均、２０１．３．２０３、定常温度状態の間に達成される規則正しい間隔で採取される搬送保育器温度示度の平均搬送インキュベータ温度平均、２０１．３．２０４、オペレータによって設定される制御温度に従って皮膚温度センサにより測定される温度を維持するためにインキュベータ空気温度を自動的に制御する追加機能を有する新生児制御搬送保育器空気制御式搬送インキュベータ、新生児制御保育器として動作する搬送保育器が、ＩＥＣ６０６０１−１−１０に定められる生理学的な閉ループコントローラであることに留意すること、２０１．３．２０５、乳児が入ることが目的とされ、乳児を見ることを可能にする透明な部分（複数の場合がある）を有するコンパートメント環境制御式エンクロージャ、２０１．３．２０６、制御温度、温度制御で選択される温度、２０１．３．２０７、最高で３か月の月齢、及び１０ｋｇ未満の体重の乳児患者、２０１．３．２０８、搬送保育器、コンパートメント、及びおもにコンパートメントの中の加熱空気により乳児の環境を制御するための手段を有する、搬送可能電源を装備する、搬送可能ｍｅ装置、２０１．３．２０９、皮膚温度、皮膚温度センサが配置される点での乳児の皮膚の温度、２０１．３．２１０、乳児の皮膚温度を測定することを目的とした皮膚温度センサ検知機器に固執するためのすべての手段を有する。
【０３５４】
ここで、図１ＡのＡの線に沿って本発明の実施形態の断面図を、釣り合いをとらずに概略で示す図１Ｂが参照される。患者を収容するために取り付けられた外囲容器を含むシリンダ付きの実施形態（１００）で構成される搬送保育器。本実施形態では、外囲容器形状は凹状であり、患者頭部（２１）の全体的な形状に適合するように画定される。この外囲容器は、異なる必要性、つまり異なる患者の大きさ、移動制限空間の提供、人間工学的な配置、患者の身体が導電ループを形成しないように整えられる患者の身体の配置、特有の患者の身体位置に適合等に対応するために複数の寸法及び形状で提供される。
【０３５５】
ここで、矩形形状（１００）の本発明の実施形態を、釣り合いを取らずに概略で示す図２Ａが参照される。本実施形態では、外囲容器の残りが使い捨てであるのに対し、患者搬送インキュベータは、取外し可能な多目的ユーザインタフェースモジュール（８０）に接続される。
【０３５６】
ここで、固体ＭＲＩ安全発泡体層（２０）、部分的に凹状の外囲容器形状（２１）、及び外囲容器の透明部分（１０）を示す、図２ＡのＡの線に沿った、本発明の実施形態の断面図を、釣り合いを取らずに概略で示す図２Ｂが参照される。
【０３５７】
ここで、容易な配置のためのハンドル（８１）を収容している取外し可能なユーザインタフェース（８０）の本発明の実施形態を、釣り合いを取らずに概略で示す図２Ｃが参照される。本実施形態では、ユーザインタフェースは、医療及び検知機器（５９）への接続、管（２００）、ワイヤ等用の通過要素（５２）、医療及び検知装置から受信されるデータを統合、解析、及び送信するＣＰＵ（５４）、設定装置（５３）の制御ユニット、検知及び医療装置から及びＣＰＵから受信されるデータのためのインジケータ（５１）、内部供給ＤＣ、外部供給ＡＣ又はＤＣ又は両方である電源（５８）、インジケータ（視覚、可聴、感知）を収容している警報システムを含む。
【０３５８】
ここで、人間工学的な形状（１５）で形成された部分的に凹んだ外囲容器の別の実施形態を説明する図２ＣのＣの線に沿った、本発明の矩形実施形態（１００）の断面図を、釣り合いを取らずに概略で示す図２Ｄが参照される。
【０３５９】
ここで、多層構造のインキュベータの実施形態の配置を示す、図２のＤの線に沿った本発明の矩形実施形態（１００）の断面図を、釣り合いを取らずに概略で示す図２Ｅが参照される。ユーザインタフェース（８０）のモジュールは、外囲容器の正面に相互接続される。外囲容器は、２つのパーツ、つまり上部（１６）及び底部（１５）から人間工学的に構築され、患者に適合するように適応された熱分離ＭＲＩ安全、プリアンブル発泡体を含む。さらに、外囲容器は、医療機器、検知装置等の装置の通過のための別の開口部（２２）、及び透明部分（１０）を収容している。
【０３６０】
ここで、本発明の実施形態を、釣り合いをとらずに概略で示す図３が参照される。開口部（３０）及びＭＲＤボアでの患者の配置にＰＴＩを接続する取付け機構（４２）の別の実施形態を含む患者搬送インキュベータ（１００）。取付け機構は、一方の側でインキュベータ（４０−４１）、他方の側でＭＲＤの指定された場所に接続する。
【０３６１】
ここで、本発明の実施形態を、釣り合いをとらずに概略で示す図４Ａが参照される。各パーツは一体で鋳造され、ユーザインタフェース（５０）モジュール（８０）と互いに取り付けられるのに対し、上部パーツ（６０）及び下部パーツ（７０）から構成されるとして説明されるシリンダ付きの実施形態（１００）のＰＴＩ。上部パーツ及び下部パーツは、インキュベータが患者の移動のために構成を変えないように、ロック装置（９０）によってさらに固定された開放構成又は閉鎖構成を有するように構成できる。さらにこの安全な機構は高速解放機構を含む。高速解放機構は、必要な場合には、患者への即時接近を実現する。
【０３６２】
ここで、図４Ａで具現化されたインキュベータの配置を説明する図４のＡの線に沿った、本発明の円筒形実施形態（１００）の断面図を、釣り合いをとらずに概略で示す図４Ｂが参照される。
【０３６３】
図５では、外囲容器の内部の温度が外部で測定された温度よりも高いことを示す、搬送保育器の外囲容器の１つの断面全体で測定された温度を、釣り合いをとらずに示す概略図が参照される。
【０３６４】
図６では、内部体積の中の音響レベルが外囲容器の外部の音響レベルよりも低いことを示す、搬送保育器の外囲容器の１つの断面全体の音響レベルを、釣り合いをとらずに示す概略図が参照される。
【０３６５】
図７では、発泡外囲容器の断面の軸で時間の関数として温度を、釣り合いを取らずに示す概略図が参照される。温度は搬送保育器の外囲容器の中と、外囲容器の外部の両方で測定される。この図は、外部温度の変化がインキュベータの内部体積の温度を同程度まで反映しないことを示す。
【０３６６】
ここで、本発明の実施形態を、釣り合いをとらずに概略で示す図８が参照される。本実施形態では、細長い構成のＰＴＩ（１００）は、１つの端部で温度調節ベント（６００）に接続される。ＰＴＩは、使い捨て発泡体マットレス（１５）及び患者を見ることを可能にする透明部分（１０）をさらに含む。
【０３６７】
ここで、本発明の実施形態を、釣り合いをとらずに概略で示す図９が参照される。本実施形態では、多層構造（３００）を含む、細長い構成のＰＴＩ（１００）。さらに又は代わりに、層は同じ又は異なる形状、幅、長さ、サイズ、材料ＮＲＣ、ＳＴＣ、騒音吸収、熱伝導性、熱容量、音響屈折品質等である。
【０３６８】
ここで、本発明の実施形態を、釣り合いをとらずに概略で示す図１０が参照される。このシリンダ付き実施形態（１００）では、ＰＴＩの内部体積は、サイズ及び形状によってＭＲＩ安全新生児保育器（７１０）に適合するように適応される。さらに、本実施形態では、新生児保育器はＭＲＩカート（７００）に取り付けられる。一方、乳児保育器を封入するＰＴＩのアセンブリは、ＭＲＤ開放ボアの中で適合するように設計される。さらに、本実施形態。内部体積を包囲する外囲容器の少なくとも一部分は温度調節発泡体から作られる。この外囲容器は開口部（３０）を有し、インキュベータ内部への迅速な１ステップでの接近を実現する。外囲容器の少なくとも一部分は、中に配置された新生児の少なくとも一部を見ることを可能にする透明な材料（１０）から作られている。
【０３６９】
ここで、本発明の実施形態を、釣り合いをとらずに概略で示す図１１が参照される。本実施形態では、ＰＴＩ（１００）は、キャノピーとしてＭＲＩカート（７００）に取り付けられた乳児保育器（７１０）を覆うように構成される。さらに、このキャノピーは、乳児の少なくとも一部を見ることを可能にする透明部分（１０）を含む。
【図１Ａ】
0006673825.tif 000004
【図１Ｂ】
0006673825.tif 000005
【図２Ａ】
0006673825.tif 000006
【図２Ｂ】
0006673825.tif 000007
【図２Ｃ】
0006673825.tif 000008
【図２Ｄ】
0006673825.tif 000009
【図２Ｅ】
0006673825.tif 000010
【図３】
0006673825.tif 000011
【図４Ａ】
0006673825.tif 000012
【図４Ｂ】
0006673825.tif 000013
【図５】
0006673825.tif 000014
【図６】
0006673825.tif 000015
【図７】
0006673825.tif 000016
【図８】
0006673825.tif 000017
【図９】
0006673825.tif 000018
【図１０】
0006673825.tif 000019
【図１１】
0006673825.tif 000020